(57)【要約】【課題】  コンテンツ所有者によるコンテンツ利用の自由度を向上させることが可能な著作権管理システムを提供することにある。【解決手段】  本発明の著作権管理システムにおいて，コンテンツ処理装置１０は，個人認証情報入力装置１２から入力された個人認証情報に基づいて，認識されたユーザに固有のソースＩＤを生成し，この生成したソースＩＤをソースＩＤリストに登録するとともに，コンテンツ配信サーバ３０に通知する。また，コンテンツ配信サーバ３０は，配信要求を受けたコンテンツに対し上記通知されたソースＩＤを付加して，コンテンツ処理装置１０に配信する。さらに，コンテンツ処理装置１０は，コンテンツ配信サーバ３０若しくは他のコンテンツ処理装置１０，２０からコンテンツを取得し，当該コンテンツに付加されているソースＩＤがソースＩＤリストに登録されている場合に，当該コンテンツを再生可能である。【選択図】  図１
2006195748.tif 000002
【特許請求の範囲】
【請求項１】
コンテンツを再生する１又は２以上のコンテンツ処理装置と，前記コンテンツ処理装置に内蔵／外付けされた個人認証情報入力装置と，前記コンテンツ処理装置に対しネットワークを介して接続されたコンテンツ配信サーバと，を備えた著作権管理システムであって：
前記コンテンツ処理装置は，
前記個人認証情報入力装置から入力された個人認証情報に基づいて，前記個人認証情報入力装置により認識されたユーザに固有のソースＩＤを生成し，前記生成したソースＩＤを，前記コンテンツ処理装置が保有しているソースＩＤリストに登録し，前記生成したソースＩＤを前記コンテンツ配信サーバに通知し；
前記コンテンツ配信サーバは，
前記コンテンツ処理装置から配信要求を受けたコンテンツに対し，前記コンテンツ処理装置から通知されたソースＩＤを付加し，当該ソースＩＤが付加されたコンテンツを前記コンテンツ処理装置に配信し；
前記コンテンツ処理装置は，
前記コンテンツ配信サーバ若しくは他のコンテンツ処理装置から，ソースＩＤが付加されたコンテンツを取得し，当該コンテンツに付加されているソースＩＤが前記ソースＩＤリストに登録されている場合に，当該コンテンツを再生可能であることを特徴とする，著作権管理システム。
【請求項２】
コンテンツを再生するコンテンツ処理装置であって：
再生を許可するコンテンツの所有者を表すソースＩＤリストを記憶する記憶部と；
前記コンテンツ処理装置に内蔵／外付けされた個人認証情報入力装置から入力された個人認証情報に基づいて，前記個人認証情報入力装置により認識されたユーザに対応するソースＩＤを生成するソースＩＤ生成部と；
前記ソースＩＤ生成部によって生成されたソースＩＤを，前記ソースＩＤリストに登録するリスト管理部と；
再生対象のコンテンツに付加されているソースＩＤが，前記ソースＩＤリストに登録されているか否かを判断する再生可否判断部と；
前記再生対象のコンテンツに付加されているソースＩＤが，前記ソースＩＤリストに登録されていると判断された場合に，前記再生対象のコンテンツを再生する再生実行部と；
を備えることを特徴とする，コンテンツ処理装置。
【請求項３】
前記個人認証情報は，前記ユーザの生体的特徴を表すバイオメトリクス情報であり，
前記個人認証情報入力装置は，前記ユーザの生体的特徴を認識して前記バイオメトリクス情報を生成するバイオメトリクス認証装置であることを特徴とする，請求項２に記載のコンテンツ処理装置。
【請求項４】
前記バイオメトリクス情報は，指紋情報，虹彩情報，静脈情報，人相情報，声紋情報，掌形情報，または筆跡情報の少なくともいずれかを含むことを特徴とする，請求項３に記載のコンテンツ処理装置。
【請求項５】
前記個人認証情報は，ユーザ単位で固有に付与される個人識別情報であり，
前記個人認証情報入力装置は，ユーザが所有するカード若しくは携帯端末に記憶された前記個人識別情報を読み取り可能なリーダ装置であることを特徴とする，請求項２に記載のコンテンツ処理装置。
【請求項６】
前記リスト管理部は，同一のユーザに対応するソースＩＤのみを，前記ソースＩＤリストに登録可能であることを特徴とする，請求項２に記載のコンテンツ処理装置。
【請求項７】
前記リスト管理部は，前記個人認証情報入力装置によって認証された複数のユーザに対応する複数のソースＩＤを，前記ソースＩＤリストに登録可能であることを特徴とする，請求項２に記載のコンテンツ処理装置。
【請求項８】
前記リスト管理部は，
前記ソースＩＤ生成部から同一のユーザに対応するソースＩＤが再入力される度に，前記ソースＩＤリストに登録されている当該ユーザに対応するソースＩＤを更新し，
同一のユーザに対応するソースＩＤが所定期間以上再入力されない場合には，前記ソースＩＤリストに登録されている当該ユーザに対応するソースＩＤを削除することを特徴とする，請求項２に記載のコンテンツ処理装置。
【請求項９】
前記コンテンツ処理装置にネットワークを介して接続されたコンテンツ配信サーバに対し，前記ソースＩＤ生成部によって生成されたソースＩＤを通知するソースＩＤ通知部と；
前記コンテンツ配信サーバから，前記ソースＩＤ通知部によって通知されたソースＩＤが付加されたコンテンツを受信する配信サービス利用部と；
を備えることを特徴とする，請求項２に記載のコンテンツ処理装置。
【請求項１０】
前記ソースＩＤ通知部は，前記ソースＩＤリストに登録されているソースＩＤを，前記コンテンツ配信サーバに通知することを特徴とする，請求項９に記載のコンテンツ処理装置。
【請求項１１】
前記ソースＩＤ通知部は，前記ソースＩＤ生成部によって生成された複数のソースＩＤの中から，ユーザ入力に基づき１つのソースＩＤを選択して，前記コンテンツ配信サーバに通知することを特徴とする，請求項９に記載のコンテンツ処理装置。
【請求項１２】
コンテンツ配信サーバから前記コンテンツ処理装置に配信されたコンテンツ，及び／又は，前記コンテンツ処理装置自身がリッピングしたコンテンツに対し，前記ソースＩＤリストに登録されているソースＩＤを付加するソースＩＤ付加部を備えることを特徴とする，請求項２に記載のコンテンツ処理装置。
【請求項１３】
他のコンテンツ処理装置とローカル接続された場合に，前記コンテンツ処理装置自身が保有する前記ソースＩＤリストに含まれるソースＩＤを，前記他のコンテンツ処理装置が保有するソースＩＤリストに複製することを特徴とする，請求項２に記載のコンテンツ処理装置。
【請求項１４】
前記再生可否判断部は，
前記再生対象のコンテンツに付加されているソースＩＤと，前記ソースＩＤリストに登録されているソースＩＤとを照合し，当該双方のソースＩＤのデータが所定割合以上で一致していれば，当該双方のソースＩＤが同一のソースＩＤであると判断することを特徴とする，請求項３に記載のコンテンツ処理装置。
【請求項１５】
コンテンツ処理装置が備えたコンピュータに：
前記コンテンツ処理装置に内蔵／外付けされた個人認証情報入力装置から入力された個人認証情報に基づいて，前記個人認証情報入力装置により認識されたユーザに対応するソースＩＤを生成するソースＩＤ生成処理と；
再生を許可するコンテンツの所有者を表すソースＩＤリストに，前記生成されたソースＩＤを登録するリスト管理処理と；
再生対象のコンテンツに付加されているソースＩＤが，前記ソースＩＤリストに登録されているか否かを判断する再生可否判断処理と；
前記再生対象のコンテンツに付加されているソースＩＤが，前記ソースＩＤリストに登録されていると判断された場合に，前記再生対象のコンテンツを再生する再生処理と；
を実行させることを特徴とする，プログラム。
【請求項１６】
前記個人認証情報は，前記ユーザの生体的特徴を表すバイオメトリクス情報であり，
前記個人認証情報入力装置は，前記ユーザの生体的特徴を認識して前記バイオメトリクス情報を生成するバイオメトリクス認証装置であることを特徴とする，請求項１５に記載のプログラム。
【請求項１７】
前記バイオメトリクス情報は，指紋情報，虹彩情報，静脈情報，人相情報，声紋情報，掌形情報，または筆跡情報の少なくともいずれかを含むことを特徴とする，請求項１６に記載のプログラム。
【請求項１８】
前記個人認証情報は，ユーザ単位で固有に付与される個人識別情報であり，
前記個人認証情報入力装置は，ユーザが所有するカード若しくは携帯端末に記憶された前記個人識別情報を読み取り可能なリーダ装置であることを特徴とする，請求項１５に記載のプログラム。
【請求項１９】
前記リスト管理処理では，同一のユーザに対応するソースＩＤのみを，前記ソースＩＤリストに登録可能であることを特徴とする，請求項１５に記載のプログラム。
【請求項２０】
前記リスト管理処理では，前記個人認証情報入力装置によって認証された複数のユーザに対応する複数のソースＩＤを，前記ソースＩＤリストに登録可能であることを特徴とする，請求項１５に記載のプログラム。
【請求項２１】
前記リスト管理処理では，
前記ソースＩＤ生成部から同一のユーザに対応するソースＩＤが再入力される度に，前記ソースＩＤリストに登録されている当該ユーザに対応するソースＩＤを更新し，
同一のユーザに対応するソースＩＤが所定期間以上再入力されない場合には，前記ソースＩＤリストに登録されている当該ユーザに対応するソースＩＤを削除することを特徴とする，請求項１５に記載のプログラム。
【請求項２２】
前記コンピュータに：
前記コンテンツ処理装置にネットワークを介して接続されたコンテンツ配信サーバに対し，前記ソースＩＤ生成部によって生成されたソースＩＤを通知するソースＩＤ通知処理と；
前記コンテンツ配信サーバから，前記通知されたソースＩＤが付加されたコンテンツを受信する配信サービス利用処理と；
をさらに実行させることを特徴とする，請求項１５に記載のプログラム。
【請求項２３】
前記ソースＩＤ通知処理では，前記ソースＩＤリストに登録されているソースＩＤを，前記コンテンツ配信サーバに通知することを特徴とする，請求項２２に記載のプログラム。
【請求項２４】
前記ソースＩＤ通知処理では，前記ソースＩＤ生成部によって生成された複数のソースＩＤの中から，ユーザ入力に基づき１つのソースＩＤを選択して，前記コンテンツ配信サーバに通知することを特徴とする，請求項２２に記載のプログラム。
【請求項２５】
前記コンピュータに：
前記コンテンツ処理装置にネットワークを介して接続されたコンテンツ配信サーバから配信されたコンテンツ，及び／又は，前記コンテンツ処理装置自身が作成したコンテンツに対し，前記ソースＩＤリストに登録されているソースＩＤを付加するソースＩＤ付加処理；
をさらに実行させることを特徴とする，請求項１５に記載のプログラム。
【請求項２６】
前記コンピュータに：
前記コンテンツ処理装置と他のコンテンツ処理装置とがローカル接続された場合に，前記コンテンツ処理装置自身が保有する前記ソースＩＤリストに含まれるソースＩＤを，前記他のコンテンツ処理装置が保有するソースＩＤリストに複製する処理；
実行させることを特徴とする，請求項１５に記載のプログラム。
【請求項２７】
前記再生可否判断処理では，
前記再生対象のコンテンツに付加されているソースＩＤと，前記ソースＩＤリストに登録されているソースＩＤとを照合し，当該双方のソースＩＤのデータが所定割合以上で一致していれば，当該双方のソースＩＤが同一のソースＩＤであると判断することを特徴とする，請求項１６に記載のプログラム。
【請求項２８】
コンテンツ処理装置におけるコンテンツ処理方法であって：
前記コンテンツ処理装置に内蔵／外付けされた個人認証情報入力装置から入力された個人認証情報に基づいて，前記個人認証情報入力装置により認識されたユーザに対応するソースＩＤを生成するステップと；
前記生成されたソースＩＤを，前記コンテンツ処理装置が保有するソースＩＤリストに登録するステップと；
再生対象のコンテンツに付加されているソースＩＤが，前記ソースＩＤリストに登録されているかを判断するステップと；
前記再生対象のコンテンツに付加されているソースＩＤが，前記ソースＩＤリストに登録されていると判断された場合に，前記再生対象のコンテンツを再生するステップと；
を含むことを特徴とする，コンテンツ処理方法。
【請求項２９】
他のコンテンツ処理装置とローカル接続可能なコンテンツ処理装置であって：
再生を許可するコンテンツの所有者を表すソースＩＤリストを記憶する記憶部と；
再生対象のコンテンツに付加されているソースＩＤが，前記ソースＩＤリストに登録されているか否かを判断する再生可否判断部と；
前記再生対象のコンテンツに付加されているソースＩＤが，前記ソースＩＤリストに登録されていると判断された場合に，前記再生対象のコンテンツを再生する再生実行部と；
を備え：
前記ソースＩＤは，前記他のコンテンツ処理装置によって，前記他のコンテンツ処理装置に内蔵／外付けされた個人認証情報入力装置によって認識されたユーザの個人認証情報に基づいて生成されたものであり；
前記他のコンテンツ処理装置とローカル接続された場合に，前記他のコンテンツ処理装置が保有するソースＩＤリストに含まれる前記ソースＩＤが複製されて，前記コンテンツ処理装置自身が保有するソースＩＤリストに登録されることを特徴とする，コンテンツ処理装置。
【請求項３０】
前記個人認証情報は，前記ユーザの生体的特徴を表すバイオメトリクス情報であり，
前記個人認証情報入力装置は，前記ユーザの生体的特徴を認識して前記バイオメトリクス情報を生成するバイオメトリクス認証装置であることを特徴とする，請求項２９に記載のコンテンツ処理装置。
【発明の詳細な説明】
【技術分野】
【０００１】
本発明は，コンテンツの著作権を保護する著作権管理システム，コンテンツ処理装置，コンテンツ処理方法およびプログラムに関する。
【背景技術】
【０００２】
音楽コンテンツ等のデジタルコンテンツは，旧来のアナログコンテンツとは異なり，品質の劣化を伴わずに複数回コピーすることができる。このため，近年，インターネットの普及やＰＣ（Ｐｅｒｓｏｎａｌ  Ｃｏｍｐｕｔｅｒ）等の高速・大容量化に伴って，著作者の許諾を得ない違法なコンテンツの配布・交換などが増加している。
【０００３】
これらの違法行為を防止するため，コンテンツの流通・利用に制限を加えるＤＲＭ（Ｄｉｇｉｔａｌ  Ｒｉｇｈｔｓ  Ｍａｎａｇｅｍｅｎｔ；デジタル著作権管理）技術を利用した著作権管理システムが普及しつつある。かかる著作権管理システムでは，ＳＤＭＩ（Ｓｅｃｕｒｅ  Ｄｉｇｉｔａｌ  Ｍｕｓｉｃ  Ｉｎｉｔｉａｔｉｖｅ）等によって提案されているように，ライセンス（権利情報）に記述されたコンテンツ利用条件に基づいて，コンテンツのコピー回数（チェックアウト回数）を厳密に管理することにより，コンテンツの著作権を管理する方式（以下，「チェックイン・チェックアウト方式」という。）が一般的である（例えば，特許文献１参照）。
【０００４】
【特許文献１】特開２００３−２９６４８６号公報
【発明の開示】
【発明が解決しようとする課題】
【０００５】
しかしながら，上記従来のチェックイン・チェックアウト方式の著作権管理システムでは，コンテンツ所有者がコンテンツの操作を行うかに限らず，「チェックアウトは３回まで」などといったユーザに対して不便な制限をかけていた。このため，ユーザによるコンテンツ利用の自由度が低く，特に，同一のユーザが所有する複数の機器間で適法にコンテンツを共用する場合に，自由度が低く不便であるという問題があった。
【０００６】
本来，コンテンツ所有者は，私的使用の範囲内であれば自由にコンテンツを利用（再生，コピー等）できるはずである。しかし，上記従来のチェックイン・チェックアウト方式の著作権管理システムでは，コンテンツを利用するユーザが真に当該コンテンツの所有権を有しているか否かを各機器で判定できないので，ユーザに対して上記のような不便な制限を強いる結果となっていた。
【０００７】
そこで，本発明は，上記問題に鑑みてなされたものであり，本発明の目的とするところは，コンテンツの所有者のみがコンテンツを利用できるような制限を加えることによって，従来のチェックイン・チェックアウト方式のような不便な制限を緩和し，コンテンツ所有者によるコンテンツ利用の自由度を向上させることが可能な，新規かつ改良された著作権管理システム，コンテンツ処理装置，コンテンツ処理方法，およびプログラムを提供することにある。
【課題を解決するための手段】
【０００８】
上記課題を解決するために，本発明の第１の観点によれば，コンテンツを再生する１又は２以上のコンテンツ処理装置と，コンテンツ処理装置に内蔵／外付けされた個人認証情報入力装置と，コンテンツ処理装置に対しネットワークを介して接続されたコンテンツ配信サーバと，を備えた著作権管理システムが提供される。この著作権管理システムにおいて，上記コンテンツ処理装置は，個人認証情報入力装置から入力された個人認証情報に基づいて，個人認証情報入力装置により認識されたユーザに固有のソースＩＤを生成し，生成したソースＩＤを，コンテンツ処理装置が保有しているソースＩＤリストに登録し，生成したソースＩＤをコンテンツ配信サーバに通知する。また，上記コンテンツ配信サーバは，コンテンツ処理装置から配信要求を受けたコンテンツに対し，コンテンツ処理装置から通知されたソースＩＤを付加し，当該ソースＩＤが付加されたコンテンツをコンテンツ処理装置に配信する。さらに，上記コンテンツ処理装置は，コンテンツ配信サーバ若しくは他のコンテンツ処理装置から，ソースＩＤが付加されたコンテンツを取得し，当該コンテンツに付加されているソースＩＤがソースＩＤリストに登録されている場合に，当該コンテンツを再生可能である。
【０００９】
かかる構成により，各コンテンツ処理装置において，ユーザが個人認証情報入力装置に対して物理的に接近することによって得られる個人認証情報に基づいて，当該ユーザに対応したソースＩＤを生成する。さらに，かかるソースＩＤをコンテンツ処理装置が保有するソースＩＤリストに登録するとともに，コンテンツの所有者に対応するソースＩＤを当該コンテンツに付加する。
【００１０】
これによって，再生対象のコンテンツに付加されているソースＩＤがソースＩＤリストに登録されている場合にのみ，当該コンテンツの再生を許可するといったコンテンツの利用制限を行う。このため，コンテンツの所有者を明確にし，各コンテンツ処理装置でコンテンツの所有者を判定することができるので，コンテンツの所有者のみがコンテンツを再生できるような著作権管理を実行できる。よって，従来のチェックイン・チェックアウト方式のような不便な利用制限を緩和し，コンテンツ所有者によるコンテンツ利用の自由度を向上させることができる。
【００１１】
また，かかる著作権管理システムでは，各コンテンツ処理装置でソースＩＤを生成して当該ソースＩＤを管理するので，サーバでソースＩＤを集中管理する必要がない。よって，著作権管理処理を効率的かつ迅速に実行できる。
【００１２】
また，上記課題を解決するために，本発明の別の観点によれば，コンテンツを再生するコンテンツ処理装置（例えば，パーソナルコンピュータ；ＰＣ）が提供される。このコンテンツ処理装置は，再生を許可するコンテンツの所有者を表すソースＩＤリストを記憶する記憶部と；コンテンツ処理装置に内蔵／外付けされた個人認証情報入力装置から入力された個人認証情報に基づいて，個人認証情報入力装置により認識されたユーザに対応するソースＩＤを生成するソースＩＤ生成部と；ソースＩＤ生成部によって生成されたソースＩＤを，ソースＩＤリストに登録するリスト管理部と；再生対象のコンテンツに付加されているソースＩＤが，ソースＩＤリストに登録されているか否かを判断する再生可否判断部と；再生対象のコンテンツに付加されているソースＩＤが，ソースＩＤリストに登録されていると判断された場合に，再生対象のコンテンツを再生する再生実行部と；を備えることを特徴とする。
【００１３】
かかる構成により，コンテンツ処理装置は，ユーザが個人認証情報入力装置に対して物理的に接近することによって得られる個人認証情報に基づいて，当該ユーザに対応したソースＩＤを生成し，かかるソースＩＤをコンテンツ処理装置が保有するソースＩＤリストに登録する。また，コンテンツ処理装置またはコンテンツ配信サーバなどによって，コンテンツに対してそのコンテンツの所有者に対応するソースＩＤが付加される。このソースＩＤは，上記のようにユーザの個人認証情報に基づき生成されるので，コンテンツの真の所有者のみが生成可能である。このため，第三者によるソースＩＤの偽造，コンテンツ所有者へのなりすましを的確に防止できる。
【００１４】
これによって，再生対象のコンテンツに付加されているソースＩＤがソースＩＤリストに登録されている場合にのみ，当該コンテンツの再生を許可するといったコンテンツの利用制限を行う。このため，コンテンツの所有者を明確にし，各コンテンツ処理装置でコンテンツの所有者を判定することができる。従って，コンテンツの所有者のみがコンテンツを再生できるような著作権管理を実行できる。よって，従来のチェックイン・チェックアウト方式のような不便な利用制限を緩和し，コンテンツ所有者によるコンテンツ利用の自由度を向上させることができる。
【００１５】
また，上記個人認証情報は，ユーザの生体的特徴を表すバイオメトリクス情報であり，上記個人認証情報入力装置は，ユーザの生体的特徴を認識してバイオメトリクス情報を生成するバイオメトリクス認証装置であるようにしてもよい。これによって，ユーザがバイオメトリクス認証装置に物理的に接近しなければ，当該ユーザのソースＩＤを生成できないので，正当なソースＩＤを生成できる。また，ユーザの身体的特徴を利用して本人認証するため，ユーザはパスワード等の番号を覚えたり，カードを用意したりする必要がないとう利点もある。
【００１６】
また，上記バイオメトリクス情報は，指紋情報，虹彩情報，静脈情報，人相情報，声紋情報，掌形情報，または筆跡情報の少なくともいずれかを含むようにしてもよい。
【００１７】
また，上記個人認証情報は，ユーザ単位で固有に付与される個人識別情報であり，上記個人認証情報入力装置は，ユーザが所有するカード（ＩＣカード，クレジットカード等）若しくは携帯端末（携帯電話等）に記憶された個人識別情報を読み取り可能なリーダ装置であるようにしてもよい。これによって，ユーザが，自己の所有するカードや携帯端末をリーダ装置に物理的に接近させなければ，当該ユーザのソースＩＤを生成できないので，正当なソースＩＤを生成できる。
【００１８】
また，上記リスト管理部は，同一のユーザに対応するソースＩＤのみを，ソースＩＤリストに登録可能であるようにしてもよい。これにより，各コンテンツ処理装置は，登録された一人のユーザが所有するコンテンツのみを再生可能となるので，コンテンツの著作権管理を厳格に実行できる。
【００１９】
また，上記リスト管理部は，個人認証情報入力装置によって認証された複数のユーザに対応する複数のソースＩＤを，ソースＩＤリストに登録可能であるようにしてもよい。これにより，各コンテンツ処理装置は，コンテンツ処理装置を取り扱い可能な者であれば，複数のユーザのソースＩＤの登録を許容する。このため，私的使用の範囲内の正当なユーザグループ（家族など）に属する各人は，同一のコンテンツ処理装置を用いて，グループ内のユーザが所有するコンテンツを共有できる。
【００２０】
また，上記リスト管理部は，ソースＩＤ生成部から同一のユーザに対応するソースＩＤが再入力される度に，ソースＩＤリストに登録されている当該ユーザに対応するソースＩＤを更新し，同一のユーザに対応するソースＩＤが所定期間以上再入力されない場合には，ソースＩＤリストに登録されている当該ユーザに対応するソースＩＤを削除するようにしてもよい。これにより，ソースＩＤリストＬ内に登録されたソースＩＤを定期的／不定期的に更新しなければ，当該ソースＩＤが削除され，当該ソースＩＤ付加されたコンテンツを再生不能となる。よって，第三者が，自己のコンテンツ処理装置に他のユーザのソースＩＤを登録しておき，その後，そのソースＩＤを長期間にわたり使用して，他のユーザ所有のコンテンツを利用し続けるといった不正行為を防止できる。
【００２１】
また，上記コンテンツ処理装置は，上記コンテンツ処理装置にネットワークを介して接続されたコンテンツ配信サーバに対し，ソースＩＤ生成部によって生成されたソースＩＤを通知するソースＩＤ通知部と；上記コンテンツ配信サーバから，ソースＩＤ通知部によって通知されたソースＩＤが付加されたコンテンツを受信する配信サービス利用部と；を備えるようにしてもよい。これにより，コンテンツ処理装置が備えた個人認証情報入力装置により認識されたユーザに対応するソースＩＤを，配信コンテンツに付加することができる。
【００２２】
また，上記ソースＩＤ通知部は，ソースＩＤリストに登録されているソースＩＤを，コンテンツ配信サーバに通知するようにしてもよい。これにより，ソースＩＤリストＬに登録されたソースＩＤが配信コンテンツに付加されるので，そのコンテンツ処理装置では，当該配信コンテンツを再生可能となる。
【００２３】
また，上記ソースＩＤ通知部は，ソースＩＤ生成部によって生成された複数のソースＩＤの中から，ユーザ入力に基づき１つのソースＩＤを選択して，コンテンツ配信サーバに通知するようにしてもよい。これにより，コンテンツ処理装置を所有するユーザが選択したいずれかのユーザのソースＩＤが配信コンテンツに付加されるので，当該選択されたユーザの所有するコンテンツ処理装置で，当該配信コンテンツを再生できる。このため，あるユーザが，配信コンテンツを購入し，他のユーザにプレゼントすることができるようになる。
【００２４】
また，上記コンテンツ配信サーバからコンテンツ処理装置に配信されたコンテンツ，及び／又は，コンテンツ処理装置自身がリッピングしたコンテンツに対し，ソースＩＤリストに登録されているソースＩＤを付加するソースＩＤ付加部を備えるようにしてもよい。これにより，コンテンツ処理装置側でソースＩＤをコンテンツに付加できる。特に，コンテンツ処理装置によってリッピングされたコンテンツにソースＩＤを付加することで，サーバを用いずとも，リッピングコンテンツを著作権管理できるようになる。
【００２５】
また，上記コンテンツ処理装置と他のコンテンツ処理装置とがローカル接続された場合に，コンテンツ処理装置自身が保有するソースＩＤリストに含まれるソースＩＤを，他のコンテンツ処理装置が保有するソースＩＤリストに複製するようにしてもよい。これにより，同一ユーザが所有するコンテンツ処理装置間では，ソースＩＤリストＬに登録されたソースＩＤを容易に複製して，当該ソースＩＤが付加されたコンテンツを共有できるようになる。特に，上記個人認証情報入力装置を内蔵／外付けできないコンテンツ処理装置（ＰＤ）のソースＩＤリストに，コンテンツ処理装置（ＰＣ）のソースＩＤリストに登録されたソースＩＤを複製することにより，当該コンテンツ処理装置（ＰＤ）でコンテンツを再生可能となる。
【００２６】
また，上記個人認証情報が上記バイオメトリクス情報である場合に，上記再生可否判断部は，再生対象のコンテンツに付加されているソースＩＤと，ソースＩＤリストに登録されているソースＩＤとを照合し，当該双方のソースＩＤのデータが所定割合以上で一致していれば，当該双方のソースＩＤが同一のソースＩＤであると判断するようにしてもよい。これにより，複数のソースＩＤが，データにばらつきのあるバイオメトリクス情報に基づいて生成される場合であっても，同一ユーザに対応するソースＩＤであれば，相互に一致すると判断されるようになる。
【００２７】
また，上記課題を解決するために，本発明の別の観点によれば，コンテンツ処理装置が備えたコンピュータに，以下の処理を実行させるプログラムが提供される。このプログラムは，コンテンツ処理装置に内蔵／外付けされた個人認証情報入力装置から入力された個人認証情報に基づいて，個人認証情報入力装置により認識されたユーザに対応するソースＩＤを生成するソースＩＤ生成処理と；再生を許可するコンテンツの所有者を表すソースＩＤリストに，生成されたソースＩＤを登録するリスト管理処理と；再生対象のコンテンツに付加されているソースＩＤが，ソースＩＤリストに登録されているか否かを判断する再生可否判断処理と；再生対象のコンテンツに付加されているソースＩＤが，ソースＩＤリストに登録されていると判断された場合に，再生対象のコンテンツを再生する再生処理と；をコンピュータに実行させる。
【００２８】
かかる構成により，コンテンツの所有者を明確にし，各コンテンツ処理装置でコンテンツの所有者を判定することができるので，コンテンツの所有者のみがコンテンツを再生できるような著作権管理を実行できる。よって，従来のチェックイン・チェックアウト方式のような不便な利用制限を緩和し，コンテンツ所有者によるコンテンツ利用の自由度を向上させることができる。
【００２９】
また，上記個人認証情報は，ユーザの生体的特徴を表すバイオメトリクス情報であり，上記個人認証情報入力装置は，ユーザの生体的特徴を認識してバイオメトリクス情報を生成するバイオメトリクス認証装置であるようにしてもよい。
【００３０】
また，上記バイオメトリクス情報は，指紋情報，虹彩情報，静脈情報，人相情報，声紋情報，掌形情報，または筆跡情報の少なくともいずれかを含むようにしてもよい。
【００３１】
また，上記個人認証情報は，ユーザ単位で固有に付与される個人識別情報であり，上記個人認証情報入力装置は，ユーザが所有するカード若しくは携帯端末に記憶された個人識別情報を読み取り可能なリーダ装置であるようにしてもよい。
【００３２】
また，上記リスト管理処理では，同一のユーザに対応するソースＩＤのみを，ソースＩＤリストに登録可能であるようにしてもよい。
【００３３】
また，上記リスト管理処理では，個人認証情報入力装置によって認証された複数のユーザに対応する複数のソースＩＤを，ソースＩＤリストに登録可能であるようにしてもよい。
【００３４】
また，上記リスト管理処理では，ソースＩＤ生成部から同一のユーザに対応するソースＩＤが再入力される度に，ソースＩＤリストに登録されている当該ユーザに対応するソースＩＤを更新し，同一のユーザに対応するソースＩＤが所定期間以上再入力されない場合には，ソースＩＤリストに登録されている当該ユーザに対応するソースＩＤを削除するようにしてもよい。
【００３５】
また，上記プログラムは，上記コンピュータに：コンテンツ処理装置にネットワークを介して接続されたコンテンツ配信サーバに対し，ソースＩＤ生成部によって生成されたソースＩＤを通知するソースＩＤ通知処理と；コンテンツ配信サーバから，通知されたソースＩＤが付加されたコンテンツを受信する配信サービス利用処理と；をさらに実行させるようにしてもよい。
【００３６】
また，上記ソースＩＤ通知処理では，ソースＩＤリストに登録されているソースＩＤを，コンテンツ配信サーバに通知するようにしてもよい。
【００３７】
また，上記ソースＩＤ通知処理では，ソースＩＤ生成部によって生成された複数のソースＩＤの中から，ユーザ入力に基づき１つのソースＩＤを選択して，コンテンツ配信サーバに通知するようにしてもよい。
【００３８】
また，上記コンピュータに：コンテンツ処理装置にネットワークを介して接続されたコンテンツ配信サーバから配信されたコンテンツ，及び／又は，コンテンツ処理装置自身が作成したコンテンツに対し，ソースＩＤリストに登録されているソースＩＤを付加するソースＩＤ付加処理；をさらに実行させるようにしてもよい。
【００３９】
また，上記コンピュータに：コンテンツ処理装置と他のコンテンツ処理装置とがローカル接続された場合に，コンテンツ処理装置自身が保有するソースＩＤリストに含まれるソースＩＤを，他のコンテンツ処理装置が保有するソースＩＤリストに複製する処理；実行させるようにしてもよい。
【００４０】
また，上記再生可否判断処理では，再生対象のコンテンツに付加されているソースＩＤと，ソースＩＤリストに登録されているソースＩＤとを照合し，当該双方のソースＩＤのデータが所定割合以上で一致していれば，当該双方のソースＩＤが同一のソースＩＤであると判断するようにしてもよい。
【００４１】
また，上記課題を解決するために，本発明の別の観点によれば，コンテンツ処理装置におけるコンテンツ処理方法が提供される。このコンテンツ処理方法は，コンテンツ処理装置に内蔵／外付けされた個人認証情報入力装置から入力された個人認証情報に基づいて，個人認証情報入力装置により認識されたユーザに対応するソースＩＤを生成するステップと；上記生成されたソースＩＤを，コンテンツ処理装置が保有するソースＩＤリストに登録するステップと；再生対象のコンテンツに付加されているソースＩＤが，ソースＩＤリストに登録されているかを判断するステップと；再生対象のコンテンツに付加されているソースＩＤが，ソースＩＤリストに登録されていると判断された場合に，再生対象のコンテンツを再生するステップと；を含むことを特徴とする。
【００４２】
かかる構成により，コンテンツの所有者を明確にし，各コンテンツ処理装置でコンテンツの所有者を判定することができるので，コンテンツの所有者のみがコンテンツを再生できるような著作権管理を実行できる。よって，従来のチェックイン・チェックアウト方式のような不便な利用制限を緩和し，コンテンツ所有者によるコンテンツ利用の自由度を向上させることができる。
【００４３】
また，上記課題を解決するために，本発明の別の観点によれば，他のコンテンツ処理装置とローカル接続可能なコンテンツ処理装置（例えば，ポータブルデバイス；ＰＤ）が提供される。このコンテンツ処理装置は，再生を許可するコンテンツの所有者を表すソースＩＤリストを記憶する記憶部と；再生対象のコンテンツに付加されているソースＩＤが，ソースＩＤリストに登録されているか否かを判断する再生可否判断部と；再生対象のコンテンツに付加されているソースＩＤが，ソースＩＤリストに登録されていると判断された場合に，再生対象のコンテンツを再生する再生実行部と；を備える。ここで，上記ソースＩＤは，他のコンテンツ処理装置によって，他のコンテンツ処理装置に内蔵／外付けされた個人認証情報入力装置によって認識されたユーザの個人認証情報に基づいて生成されたものである。さらに，上記コンテンツ処理装置は，他のコンテンツ処理装置とローカル接続された場合に，他のコンテンツ処理装置が保有するソースＩＤリストに含まれるソースＩＤが複製されて，コンテンツ処理装置自身が保有するソースＩＤリストに登録されることを特徴とする。
【００４４】
かかる構成により，上記個人認証情報入力装置を内蔵／外付けできないコンテンツ処理装置（ＰＤ）のソースＩＤリストに，同一のユーザが所有するコンテンツ処理装置（ＰＣ）のソースＩＤリストに登録されたソースＩＤを複製することにより，当該コンテンツ処理装置（ＰＤ）で，当該ユーザ所有のコンテンツを再生可能となる。この結果，複数のコンテンツ処理装置において，コンテンツの所有者のみがコンテンツを再生できるような著作権管理を実行できる。よって，従来のチェックイン・チェックアウト方式のような不便な利用制限を緩和し，コンテンツ所有者によるコンテンツ利用の自由度を向上させることができる。
【００４５】
また，上記個人認証情報は，ユーザの生体的特徴を表すバイオメトリクス情報であり，上記個人認証情報入力装置は，ユーザの生体的特徴を認識してバイオメトリクス情報を生成するバイオメトリクス認証装置であるようにしてもよい。
【発明の効果】
【００４６】
以上説明したように本発明によれば，コンテンツ処理装置が備えた個人認証情報入力装置に対してユーザが物理的に接近しなければ得られない個人認証情報に基づいて，当該ユーザに対応するソースＩＤを生成する。さらに，かかるソースＩＤをソースＩＤリストに登録するとともに，コンテンツの所有者に対応するソースＩＤを当該コンテンツに付加することで，コンテンツの再生制限を行う。これにより，コンテンツの所有者のみがコンテンツを利用できるような著作権管理を実行できる。従って，従来のチェックイン・チェックアウト方式のような不便な利用制限を解消し，コンテンツの所有者によるコンテンツ利用の自由度を向上させることができる。
【発明を実施するための最良の形態】
【００４７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００４８】
（第１の実施形態）
以下に，本発明の第１の実施形態にかかる著作権管理システムおよびその構成要素について説明する。
【００４９】
＜１．著作権管理方式の概要＞
まず，本実施形態にかかる著作権管理システムの概要について説明する。
【００５０】
本実施形態にかかる著作権管理システムは，各ユーザが所有する複数の機器（コンテンツ処理装置）におけるコンテンツの利用を管理し，コンテンツの著作権を保護するシステムである。即ち，この著作権管理システムは，インターネット等を通じたコンテンツ大量配布行為等といったコンテンツの違法利用を確実に防止するべく，相異なるユーザが所有する機器間では，コンテンツの共有を制限する。一方で，この著作権管理システムは，同一のユーザが所有する複数の機器間では，コンテンツをある程度自由に共有できるコンテンツ共有サービスを実現するシステムとしても構成されている。
【００５１】
このように本実施形態にかかる著作権管理システムは，コンテンツの著作権管理を行いつつも，私的利用の範囲内ではコンテンツの共有を認め，同一ユーザが所有する複数の機器を用いてコンテンツを利用する際のユーザの利便性，自由度を高めることが可能な著作権管理方式を採用している。
【００５２】
即ち，この著作権管理システムでは，コンテンツ利用の管理単位を，「コンテンツの所有者（ｓｏｕｒｃｅ；ソース）」単位とし，各機器におけるコンテンツの再生を，コンテンツの所有者に応じて許可／不許可するという著作権管理を行う。
【００５３】
具体的には，コンテンツの所有者単位で付与されるソースＩＤをコンテンツに付加するとともに，再生を許可されたコンテンツの所有者を表すソースＩＤが登録されるソースＩＤリストを各機器で保有する。
【００５４】
上記ソースＩＤは，例えばコンテンツ処理装置またはコンテンツ配信サーバによって，コンテンツに付加される。このようにソースＩＤをコンテンツに付加することにより，各コンテンツ処理装置でコンテンツの所有者を特定できるようになる。ここで，「コンテンツにソースＩＤを付加する」とは，コンテンツにソースＩＤを関連付けるという意味であり，例えば，コンテンツデータを含むファイル（コンテンツファイル）内にソースＩＤのデータを追加する処理や，上記コンテンツファイルと，ソースＩＤのデータを含むファイルとを関連付ける処理などを含む。
【００５５】
このようにソースＩＤが付加されたコンテンツは，コンテンツ処理装置間で，自由にコピー可能である。即ち，本実施形態にかかる著作権管理システムでは，ソースＩＤが付加されたコンテンツのコピー時に，従来のチェックイン・チェックアウト方式の著作権管理システムのような，コピー回数の制限処理が行われることはない。
【００５６】
また，コンテンツ処理装置は，後述するように，このコンテンツ処理装置を所有するユーザに対応するソースＩＤを，コンテンツ処理装置内に記憶されたソースＩＤリストに登録したり，ソースＩＤリストに登録されているソースＩＤを削除したりする。このようにソースＩＤリストに対してソースＩＤを登録／削除することにより，各コンテンツ処理装置において，当該ソースＩＤが付加されたコンテンツの再生を可能化／不能化することができる。
【００５７】
そして，各コンテンツ処理装置において，再生対象のコンテンツに付加されているソースＩＤと，保有しているソースＩＤリストに登録されているソースＩＤとに基づいて，コンテンツの再生を制御する。即ち，各コンテンツ処理装置は，再生対象のコンテンツに付加されているソースＩＤがソースＩＤリストに登録されている場合には，当該コンテンツを再生することができ，一方，再生対象のコンテンツに付加されているソースＩＤがソースＩＤリストに登録されていない場合には，当該コンテンツを再生することができない。このように，コンテンツ処理装置は，ソースＩＤ単位，即ちコンテンツの所有者単位で，コンテンツの再生を制御する。
【００５８】
以上のような本実施形態にかかる著作権管理方式により，同一のユーザの所有する機器間では，当該ユーザのソースＩＤがソースＩＤリストに登録されているので，当該ユーザが所有するデジタルコンテンツ（例えば，コンテンツ配信サービスで購入したコンテンツ，およびリッピングにより作成したコンテンツなど）を自由にコピーして再生できるようになる。一方，異なるユーザの機器間では，相手側のユーザのソースＩＤがソースＩＤリストに登録されていないので，相手側のコンテンツを再生することができない。
【００５９】
なお，コンテンツは，例えば，音楽，講演，ラジオ番組等の音声（Ａｕｄｉｏ）コンテンツや，映画，テレビジョン番組，ビデオプログラム，写真，絵画，図表等を構成する静止画若しくは動画からなる映像（Ｖｉｄｅｏ）コンテンツ，電子図書（Ｅ−ｂｏｏｋ），ゲーム，ソフトウェアなど，任意のコンテンツであってよい。以下では，コンテンツとして，音声コンテンツ，特に，配信サーバから配信された音楽コンテンツおよび音楽ＣＤからリッピングされた音楽コンテンツの例を挙げて説明するが，本発明のコンテンツはかかる例に限定されるものではない。
【００６０】
＜２．著作権管理システムの全体構成＞
次に，図１に基づいて，本実施形態にかかる著作権管理システム１００の全体構成について説明する。なお，図１は，本実施形態にかかる著作権管理システム１００の全体構成を概略的に示すブロック図である。
【００６１】
図１に示すように，本実施形態にかかる著作権管理システム１００は，例えば，複数のコンテンツ処理装置（ＰＣ）１０−１，２，…（以下では「コンテンツ処理装置１０」と総称する。）と，複数のコンテンツ処理装置（ＰＤ）２０−１，２，…（以下では「コンテンツ処理装置２０」と総称する。）と，複数の個人認証情報入力装置１２−１，２，…（以下では「個人認証情報入力装置１２」と総称する。）と，１又は２以上のコンテンツ配信サーバ３０と，これらを相互に接続するネットワーク５，私的ネットワーク８およびローカルライン９と，リムーバブル記録媒体７と，から構成される。
【００６２】
コンテンツ処理装置（ＰＣ）１０は，コンテンツを記録及び再生することが可能な装置である。より具体的には，コンテンツ処理装置１０は，例えば，パーソナルコンピュータ（Ｐｒｅｓｏｎａｌ  Ｃｏｍｐｕｔｅｒ）等のコンピュータ装置（ノート型，デスクトップ型を問わない。）で構成される。しかし，かかる例に限定されず，コンテンツ処理装置１０は，ネットワーク５を介した通信機能を有する機器であれば，例えばＰＤＡ（Ｐｅｒｓｏｎａｌ  Ｄｉｇｉｔａｌ  Ａｓｓｉｓｔａｎｔ），家庭用ゲーム機，情報家電などで構成することもできる。
【００６３】
このコンテンツ処理装置１０は，ネットワーク５を介してコンテンツ配信サーバ３０との間で通信接続可能である。また，このコンテンツ処理装置１０は，例えば，著作権管理用ソフトウェアおよびコンテンツ配信サービス用ソフトウェアなどの各種ソフトウェアをインストール可能である。これにより，コンテンツ処理装置１０は，上述した著作権管理処理を実行することができる。また，コンテンツ処理装置１０は，コンテンツ配信サーバ３０からコンテンツの配信を受け，ストレージ装置や記録媒体７などに記録することができる。
【００６４】
また，コンテンツ処理装置１０は，例えば，リッピングやセルフレコーディング（自己録音，自己録画等）などによって，新規にコンテンツを作成して，ストレージ装置や記録媒体７に記録することができる。なお，リッピングとは，音楽ＣＤ，ビデオＤＶＤ，ソフトウェア用ＣＤ−ＲＯＭ等の記憶媒体に記録されているデジタル形式のコンテンツデータ（音声データや映像データ等）を抽出し，コンピュータで処理可能なファイル形式に変換して，ストレージ装置や記録媒体７に記録することをいう。また，セルフレコーディングとは，コンテンツ処理装置１０自身が有する撮像装置／集音装置によって撮像／集音した音声等を，映像／音声のデジタルデータとして記録することをいう。
【００６５】
コンテンツ処理装置１０は，上記配信コンテンツおよびリッピングコンテンツを，例えば，ＡＴＲＡＣ３（Ａｄｖａｎｃｅｄ  Ｔｒａｎｓｆｏｒｍ  Ａｃｏｕｓｔｉｃ  Ｃｏｄｉｎｇ）方式，またはＭＰ３（ＭＰＥＧ  Ａｕｄｉｏ  Ｌａｙｅｒ−３）方式などの所定の圧縮符号化方式で圧縮符号化し，ＤＥＳ（Ｄａｔａ  Ｅｎｃｒｙｐｔｉｏｎ  Ｓｔａｎｄａｒｄ）などの暗号化方式で暗号化して記録できる。
【００６６】
さらに，コンテンツ処理装置１０は，上記配信コンテンツやリッピングコンテンツを，他のコンテンツ処理装置（ＰＣ）１０またはコンテンツ処理装置（ＰＤ）２０との間で，ネットワーク５またはローカルライン９を介して送受信する，或いは記録媒体７を介してやり取りすることができる。これにより，複数のコンテンツ処理装置１０およびコンテンツ処理装置２０間で，コンテンツを提供／取得して，コンテンツを共有できる。
【００６７】
コンテンツ処理装置（ＰＤ）２０は，携帯型のコンテンツ再生装置であるポータブルデバイス（Ｐｏｒｔａｂｌｅ  Ｄｅｖｉｃｅ）である。より具体的には，コンテンツ処理装置２０は，例えば，数十ＧＢの記憶容量を有するハードディスクドライブ（ＨＤＤ）を備えた携帯型オーディオプレーヤなどで構成される。しかし，かかる例に限定されず，コンテンツ処理装置２０は，例えば，ハードディスクドライブ（ＨＤＤ）等を内蔵せず，ドライブに装着されるリムーバブル記録媒体７に対してコンテンツ等を記録再生する携帯型映像／オーディオプレーヤ，その他，ＰＤＡ，携帯電話，ＰＨＳなど，各種の携帯可能な装置であってもよい。なお，このコンテンツ処理装置２０は，コンテンツ再生専用機であってもよい。
【００６８】
このコンテンツ処理装置２０は，例えば，ローカルライン９を介してコンテンツ処理装置１０にローカル接続可能であり，コンテンツ処理装置１０との間で各種のデータを通信可能である。ここで，ローカル接続とは，インターネット等の公衆回線網を用いずに，ローカルライン９や近距離無線通信等を用いて，比較的近距離（例えば数ｍ以下）でコンテンツ処理装置１０，２０等の機器を相互接続することをいう。また，ローカルライン９は，比較的近距離（例えば数ｍ以下）で機器を相互接続するラインであり，例えば，例えばＵＳＢ（Ｕｎｉｖａｒｓａｌ  Ｓｅｒｉａｌ  Ｂｕｓ）ケーブル等の有線ケーブルなどで構成される。なお，コンテンツ処理装置１０とコンテンツ処理装置２０とは，無線方式で通信可能に構成されてもよい。
【００６９】
かかるコンテンツ処理装置２０は，ローカルライン９を介してコンテンツ処理装置１０から転送されたコンテンツや，記録媒体７によって提供されたコンテンツを再生することができる。
【００７０】
個人認証情報入力装置１２は，例えば，バイオメトリクス認証装置（指紋認証装置等）またはリーダ装置（カードリーダ装置等）などで構成され，コンテンツ処理装置１０等にローカル接続される。この個人認証情報入力装置１２は，ユーザの生体的特徴を接触／非接触方式で認識する，或いは，ユーザの所有するカード若しくは携帯端末等に記憶されている個人識別情報（社員番号，クレジットカード番号，電話番号等）を読み取って認識することによって，認識されたユーザの個人認証情報を生成し，この個人認証情報をコンテンツ処理装置１０等に出力する。
【００７１】
コンテンツ配信サーバ３０は，コンテンツ配信サービス，例えば，電子音楽配信（ＥＭＤ；Ｅｌｅｃｔｒｏｎｉｃ  Ｍｕｓｉｃ  Ｄｉｓｔｒｉｂｕｔｉｏｎ）サービスを提供するためのサーバ装置であり，ユーザが所有するコンテンツ処理装置１０からの配信要求に応じて，当該コンテンツ処理装置１０にネットワーク５を介してコンテンツを配信する。このコンテンツ配信サーバ３０は，配信対象の音楽コンテンツを，例えば，ＡＴＲＡＣ３方式またはＭＰ３方式などの圧縮符号化方式で圧縮符号化し，ＤＥＳなどの暗号化方式で暗号化した上で，コンテンツ処理装置１０に配信する。また，コンテンツ配信サーバ３０は，暗号化された配信コンテンツとともに，当該配信コンテンツを復号するためのコンテンツ鍵を暗号化して，コンテンツ処理装置１０に送信する。
【００７２】
ネットワーク５は，上記コンテンツ処理装置１０およびコンテンツ配信サーバ３０を双方向通信可能に接続する通信回線網である。このネットワーク５は，例えば，インターネット，電話回線網，衛星通信網等の公衆回線網や，ＷＡＮ，ＬＡＮ，ＩＰ−ＶＰＮ等の専用回線網などで構成されており，有線／無線を問わない。
【００７３】
私的ネットワーク８は，著作権管理の観点からみて，私的使用の範囲内でコンテンツを共有する複数のコンテンツ処理装置１０を相互に接続するネットワークである。かかる私的ネットワークの具体例としては，例えば，図１に示すような同一のユーザＡによって使用される複数のコンテンツ処理装置１０を接続するネットワークや，同一の家庭内で使用される複数のコンテンツ処理装置１０を接続するホームネットワーク，小規模の限られたグループ（会社，友人等）内で使用される複数のコンテンツ処理装置１０を接続するＬＡＮなどが挙げられる。
【００７４】
リムーバブル記録媒体７は，コンテンツ，プログラム等の各種データを格納する携帯可能な記録媒体であり，例えば，ＤＶＤ−Ｒ，ＤＶＤ−ＲＷ，ＤＶＤ−ＲＡＭ，ＣＤ−Ｒ，ＣＤ−ＲＷ，光磁気ディスク等の各種の光ディスク３や，フレキシブルディスク，ハードディスク等の磁気ディスク，各種の半導体メモリなどである。なお，このリムーバブル記録媒体７は，例えば，暗号鍵等を用いてコンテンツのコピーや再生等を制限する著作権管理機能付きの記憶媒体であってもよい。
【００７５】
このリムーバブル記録媒体７は，コンテンツ処理装置１０間におけるコンテンツの提供／取得媒体として機能する。例えば，コンテンツ処理装置１０−１によってコンテンツが書き込まれた記録媒体７を，コンテンツ処理装置１０−２にローディングして当該コンテンツを読み出すことにより，コンテンツ処理装置１０−１からコンテンツ処理装置１０−２に対しコンテンツを提供することができる。さらに，コンテンツ処理装置１０−１は，ネットワーク５に接続不能なコンテンツ処理装置２０との間でも，記録媒体７を介してコンテンツを提供／取得することができる。さらに，この記録媒体７は，販売店の店頭等に設けられたコンテンツ販売端末（図示せず。）に挿入され，ユーザ操作に応じて購入されたコンテンツを記憶して，コンテンツ処理装置１０に提供することもできる。
【００７６】
このような構成の著作権管理システム１００において，図１に示すように，各コンテンツ処理装置１０，２０は，これらを所有するユーザ毎にグループ化されている。例えば，ユーザＡは，２つのコンテンツ処理装置（ＰＣ）１０−１，２と，２つのコンテンツ処理装置（ＰＤ）２０−１，２とを所有しており，これら機器はユーザＡ所有のグループにグループ化されている。このグループ化は，各ユーザに対応するソースＩＤを各ユーザ所有のソースＩＤリストに登録することによって成されるが，詳細は後述する。
【００７７】
＜３．個人認証情報および個人認証情報入力装置＞
次に，本実施形態にかかる個人認証情報および個人認証情報入力装置１２について説明する。
【００７８】
まず，個人認証情報について説明する。個人認証情報は，コンテンツ処理装置１０，２０のユーザを特定して認証するための情報である。この個人認証情報は，例えば，バイオメトリクス情報，個人識別情報などが含まれる。
【００７９】
バイオメトリクス（Ｂｉｏｍｅｔｒｉｃｓ）情報は，人の生体的（身体的）特徴に関する情報であり，個人を特定することができる。このバイオメトリクス情報は，例えば，指紋情報，虹彩情報，静脈情報，人相情報，声紋情報，掌形情報，または筆跡情報などである。指紋情報は，人の指紋の特徴をデータ化した情報である。虹彩情報は，人の目の虹彩の特徴をデータ化した情報である。静脈情報は，人の手のひら，指または腕等における模様の特徴をデータ化した情報である。人相情報は，人の顔の輪郭や，目鼻口の形および配置などの特徴をデータ化した情報である。声紋情報は，人の発する声の特徴をデータ化した情報である。掌形情報は，掌の形，厚みおよび幅や，指の長さ，厚み及び幅などの特徴をデータ化した情報である。筆跡情報は，人の筆跡や，キーボードの打ち方などの特徴をデータ化した情報である。このようなバイオメトリクス情報は，本人の生体的特徴を利用した情報であるため，他人による悪用（偽造，なりすまし）が困難であり，本人認証における信頼度が非常に高い。
【００８０】
個人識別情報は，ユーザを識別するためのＩＤ情報であり，ユーザ単位で固有に付与される。この個人識別情報は，例えば，社員番号，学生番号等のＩＤ番号や，クレジットカードの番号，携帯電話等の電話番号などがある。
【００８１】
次に，本実施形態にかかる個人認証情報入力装置１２について説明する。個人認証情報入力装置１２は，ユーザの生体的特徴を認識する，或いはユーザが所有するカードや携帯端末内に記憶された個人識別情報を読み取ることにより，当該ユーザを特定する個人認証情報を生成して出力する装置である。この個人認証情報入力装置１２は，例えば，入出門の認証や，コンピュータの起動，ネットワークへのログオン等に使用されるバイオメトリクス認証装置またはリーダ装置（カードリーダ装置等）などで構成される。
【００８２】
具体的には，バイオメトリクス認証装置は，ユーザの生体的特徴を認識して上記バイオメトリクス情報を生成し，このバイオメトリクス情報に基づいてユーザ認証（即ち，バイオメトリクス認証）する装置であり，例えば，指紋認証装置，虹彩認証装置，静脈認証装置，人相認証装置，声紋認証装置，掌形認証装置または筆跡認証装置などである。また，リーダ装置は，ユーザが携帯可能な記録媒体（カード，携帯電話等）に記憶された上記個人識別情報を接触式／非接触式で読み取ることが可能な装置であり，例えば，カードリーダ装置等である。
【００８３】
ここで，図２に基づいて，本実施形態にかかる個人認証情報入力装置１２の一例であるバイオメトリクス認証装置１２Ａについて説明する。なお，図２は，本実施形態にかかるバイオメトリクス認証装置１２Ａの機能を概略的に示すブロック図である。
【００８４】
図２に示すように，バイオメトリクス認証装置１２Ａは，例えば，読取部１３と，特徴点抽出部１４と，個人認証情報生成部１５と，ユーザ登録部１６と，ユーザ認証部１７と，通信部１８と，個人認証用登録データベース１９と，通信部１８とを備える。
【００８５】
読取部１３は，指紋センサ等のセンサで構成され，例えば，半導体式，光学式，感熱式，感圧式，赤外線方式などの読取方式で，ユーザの身体の一部の生体的特徴を接触／非接触で認識して，生体情報を得る。例えば，指紋認証装置の場合には，読取部１３である指紋センサは，ユーザの指が指紋センサの電極に対して接触されたときに，指紋の凹凸に応じて変化する電荷量を読み取り，この電荷量を電圧値に変換し，さらに，この電圧値を画像データに変換して，指紋の模様を表した平面画像である生体情報を得る。この生体情報は，特徴点抽出部１４に出力される。
【００８６】
特徴点抽出部１４は，上記読取部１３によって読み取られた生体情報から，特徴点を抽出する。例えば，指紋認証の場合，上記生体情報の特徴点は，指紋の模様の特徴を表す部分であり，例えば，中心点（指紋模様の中心），分岐点（指紋の凸部の枝分かれ），端点（指紋凸部の行き止まり），三角州（指紋の凸部三方向からの集合）などであり，かかる特徴点が複数（例えば数十個）抽出される。
【００８７】
個人認証情報生成部１５は，特徴点抽出部１４によって抽出された生体情報の特徴点をデータ化して，特徴点抽出データであるバイオメトリクス情報（個人認証情報）を生成する。このバイオメトリクス情報は，例えば，上記のような複数の特徴点の種類，向き，および位置（中心点からの座標）などを含む。なお，この個人認証情報生成部１５は，生成する個人認証情報（バイオメトリクス情報）に対して，コンテンツ処理装置（ＰＣ）１０から入力されたユーザの名前，ユーザＩＤ等の情報をさらに含ませてもよい。
【００８８】
さらに，個人認証情報生成部１５は，生成したバイオメトリクス情報を，ユーザ登録時にはユーザ登録部１６に出力し，ユーザ認証時にはユーザ認証部１７に出力する。また，個人認証情報生成部１５は，本実施形態にかかる特徴であるソースＩＤを生成するために，上記生成したバイオメトリクス情報（個人認証情報）を，通信部１８およびローカルライン９を介してコンテンツ処理装置（ＰＣ）１０に出力する。
【００８９】
ユーザ登録部１６は，新規ユーザの登録時に，上記個人認証情報生成部１５から入力されたバイオメトリクス情報を，ユーザの名前，ユーザＩＤ等の個人識別情報と関連付けて，個人認証用登録データベース１９に登録する。
【００９０】
ユーザ認証部１７は，上記個人認証情報生成部１５から入力されたバイオメトリクス情報と，個人認証用登録データベース１９に登録されているバイオメトリクス情報とを照合することによって，ユーザ認証を行う。この照合時には，ユーザ認証部１７は，双方のバイオメトリクス情報に含まれる複数の特徴点うち所定の割合以上（例えば８０％）が一致していれば，同一人のものであると判断する。これは，バイオメトリクス認証装置１２Ａにおいては，認識対象がユーザの身体の一部であるため，同一のユーザから常に完全に一致する生体情報を読み取ってバイオメトリクス情報を生成することは困難だからである。
【００９１】
以上，本実施形態にかかる個人認証情報入力装置１２の一例であるバイオメトリクス認証装置１２Ａについて説明した。このようなバイオメトリクス認証装置１２Ａは，ユーザの生体的特徴を利用して本人認証するため，他人による悪用（なりすまし等）を防止し，正確に本人認証できる。
【００９２】
また，図示はしないが，個人認証情報入力装置１２の別の例であるカードリーダ装置は，ユーザの所有するカード（ＩＣカード，クレジットカード等）に記憶された個人識別情報を，接触／非接触式で読み取る認証装置である。このカードリーダ装置は，カードを所有するユーザによって読取部に挿入されたカード，或いは，読取部に非接触で接近されたカードから，上記社員番号等の個人識別情報を読み取る。さらに，読み取った個人識別情報を個人認証情報として，上記のような登録データとの照合による本人認証を行う。さらに，カードリーダ装置は，ソースＩＤ生成のため，上記生成した個人認証情報を，ローカルライン９を介してコンテンツ処理装置（ＰＣ）１０に出力する。
【００９３】
かかるカードリーダ装置であっても，ユーザがカードをカードリーダ装置に対し物理的に接近させないと本人認証がされないので，カードの盗難／紛失時等を除いては，他人による悪用を防止して正確に本人認証できる
なお，個人認証情報入力装置１２は，携帯端末（携帯電話若しくはＰＤＡ等）内の記録媒体に保存された個人識別情報（携帯電話番号，ユーザＩＤなど）を，接触方式／非接触方式で読み取り可能なリーダ装置であってもよい。
【００９４】
また，個人認証情報入力装置１２は，認識したユーザの個人認証情報を生成してコンテンツ処理装置１０に出力可能であれば，必ずしも本人認証処理を行わなくてもよい。例えば，上記バイオメトリクス認証装置１２Ａの例では，ユーザ登録部１６，ユーザ認証部１７および個人認証用登録データベース１９を設けなくてもよく，バイオメトリクス認証装置１２Ａは，接近したユーザの生体情報を取得して，この生体情報に基づき当該ユーザのバイオメトリクス情報を生成・出力することが可能であればよい。
【００９５】
以上，本実施形態にかかる個人認証情報入力装置１２について説明した，本実施形態にかかる著作権管理システム１００は，後述するように，上記個人認証情報入力装置１２によって所得された個人認証情報に基づいてソースＩＤを生成する。このため，ソースＩＤとユーザとを安全に関連付けて，他人がソースＩＤを偽造することを好適に防止できる。さらに，著作権管理システム１００では，個人認証情報に基づいて生成されたソースＩＤが付加されたコンテンツを，コンテンツ処理装置１０，２０間で流通させる。このため，流通されるコンテンツの所有者を，コンテンツに付加されているソースＩＤによって特定できるとともに，他人がコンテンツ所有者になりすますことを防止できる。
【００９６】
＜４．コンテンツ処理装置（ＰＣ）＞
次に，本実施形態にかかるコンテンツ処理装置（ＰＣ）１０の構成について詳細に説明する。
【００９７】
まず，図３に基づいて，パーソナルコンピュータ（ＰＣ）等で構成されるコンテンツ処理装置１０のハードウェア構成について説明する。なお，図３は，本実施形態にかかるコンテンツ処理装置１０のハードウェア構成の例を概略的に示すブロック図である。
【００９８】
図３に示すように，コンテンツ処理装置１０は，例えば，ＣＰＵ（Ｃｅｎｔｒａｌ  Ｐｒｏｃｅｓｓｉｎｇ  Ｕｎｉｔ）１０１と，ＲＯＭ（Ｒｅａｄ  Ｏｎｌｙ  Ｍｅｍｏｒｙ）１０２と，ＲＡＭ（Ｒａｎｄｏｍ  Ａｃｃｅｓｓ  Ｍｅｍｏｒｙ）１０３と，ホストバス１０４と，ブリッジ１０５と，外部バス１０６と，インタフェース１０７と，入力装置１０８と，出力装置１１０と，ストレージ装置（ＨＤＤ）１１１と，ドライブ１１２と，接続ポート１１４と，通信装置１１５とを備える。
【００９９】
ＣＰＵ１０１は，演算処理装置および制御装置として機能し，各種プログラムに従って動作し，コンテンツ処理装置１０内の各部を制御する。ＲＯＭ１０２は，ＣＰＵ１０１が使用するプログラムや演算パラメータ等を記憶する。ＲＡＭ１０３は，ＣＰＵ１０１の実行において使用するプログラムや，その実行において適宜変化するパラメータ等を一次記憶する。これらはＣＰＵバスなどから構成されるホストバス１０４により相互に接続されている。
【０１００】
ホストバス１０４は，ブリッジ１０５を介して，ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス１０６に接続されている。
【０１０１】
入力装置１０８は，例えば，マウス，キーボード，タッチパネル，ボタン，スイッチ，レバー等の操作手段と，入力信号を生成してＣＰＵ１０１に出力する入力制御回路などから構成されている。コンテンツ処理装置１０のユーザは，この入力装置１０８を操作することにより，コンテンツ処理装置１０に対して各種のデータを入力したり処理動作を指示したりすることができる。
【０１０２】
出力装置１１０は，例えば，ＣＲＴ（Ｃａｔｈｏｄｅ  Ｒａｙ  Ｔｕｂｅ）ディスプレイ装置，液晶ディスプレイ（ＬＣＤ）装置，ランプ等の表示装置と，スピーカ等の音声出力装置などで構成される。この出力装置１１０は，例えば，再生されたコンテンツを出力する。具体的には，表示装置は再生された映像データ等の各種情報をテキストまたはイメージで表示する。一方，音声出力装置は，再生された音声データ等を発音する。
【０１０３】
ストレージ装置１１１は，本実施形態にかかるコンテンツ処理装置１０の記憶部の一例として構成されたデータ格納用の装置であり，例えば，ＨＤＤ（Ｈａｒｄ  Ｄｉｓｋ  Ｄｒｉｖｅ）で構成される。このストレージ装置１１１は，ハードディスクを駆動し，ＣＰＵ１０１が実行するプログラムや各種データを格納する。また，このストレージ装置１１１には，後述の図４に示すソースＩＤリストＬ，コンテンツデータベース１１６，コンテンツ管理情報データベース１１８などが格納されており，ソースＩＤ記憶部１１７としても機能する。
【０１０４】
ドライブ１１２は，記憶媒体用リーダライタであり，コンテンツ処理装置１０に内蔵，或いは外付けされる。このドライブ１１２は，コンテンツ処理装置１０にローディングされた磁気ディスク，光ディスク，光磁気ディスク，または半導体メモリ等のリムーバブル記録媒体７に対して，コンテンツ，プログラムなどの各種データを記録／再生する。
【０１０５】
具体的には，ドライブ１１２は，リムーバブル記録媒体７に記録されているデータを読み出して，インタフェース１０７，外部バス１０６，ブリッジ１０５，およびホストバス１０４を介して接続されているＲＡＭ１０３に供給する。ＣＰＵ１０１は，必要に応じて，これらのデータをＲＯＭ１０２またはストレージ装置１１１などに格納する。一方，ドライブ１１２は，ＲＯＭ１０２またはストレージ装置１１１などに格納されているデータや，新たに生成したデータ，外部装置から取得したデータをＣＰＵ１０１から受け取り，リムーバブル記録媒体７に書き込む。
【０１０６】
接続ポート１１４は，例えば，他のコンテンツ処理装置（ＰＣ）１０，コンテンツ処理装置（ＰＤ）２０，個人認証情報入力装置１２等の外部周辺機器を接続するポートであり，ＵＳＢ，ＩＥＥＥ１３９４等の接続端子を有する。接続ポート１１４は，インタフェース１０７，および外部バス１０６，ブリッジ１０５，ホストバス１０４等を介してＣＰＵ１０１等に接続されている。かかる接続ポート１１４によって，コンテンツ処理装置１０は，コンテンツ処理装置２０および個人認証情報入力装置１２などとの間で，ローカルライン９を介して各種のデータを通信可能となる。
【０１０７】
通信装置１１５は，例えば，ネットワーク５に接続するための通信デバイス等で構成された通信インタフェースである。この通信装置１１５は，他のコンテンツ処理装置（ＰＣ）１０またはコンテンツ配信サーバ３０等の外部機器との間で，ネットワーク５を介して，コンテンツ，制御信号などの各種データを送受信する。
【０１０８】
次に，図４に基づいて，本実施形態にかかるコンテンツ処理装置１０の主な機能について説明する。なお，図４は，本実施形態にかかるコンテンツ処理装置１０の機能を概略的に示すブロック図である。
【０１０９】
図４に示すように，コンテンツ処理装置１０は，例えば，データ通信部１２０と，ソースＩＤ生成部１３０と，リスト管理部１４０と，ソースＩＤ通知部１５０と，配信サービス利用部１５２と，ソースＩＤ付加部１５４と，コンテンツ処理部１６０と，ソースＩＤリストＬおよびコンテンツデータベース１１６を記憶する記憶部と，ソースＩＤ記憶部１１７と，を備える。
【０１１０】
データ通信部１２０は，コンテンツ処理装置１０と外部装置との間で各種のデータを送受信する。例えば，データ通信部１２０は，上記通信装置１１５を利用して，ネットワーク５を介して，他のコンテンツ処理装置（ＰＣ）１０またはコンテンツ配信サーバ３０との間でデータを送受信する。また，データ通信部１２０は，上記接続ポート１１４を利用して，ローカルライン９を介して，コンテンツ処理装置２０または個人認証情報入力装置１２との間でデータを送受信する。
【０１１１】
ソースＩＤ生成部１３０は，上記個人認証情報入力装置１２から入力された個人認証情報（バイオメトリクス情報等）に基づいて，上記個人認証情報入力装置１２により認識されたユーザに対応するソースＩＤを生成する。以下に，ソースＩＤ生成部１３０によるソースＩＤ生成手法について説明する。
【０１１２】
具体的には，図５（ａ），（ｃ），（ｄ）に示すように，ソースＩＤ生成部１３０は，例えば，個人認証情報をそのままソースＩＤに含ませることにより，１人のユーザについては，１つのソースＩＤのみを生成するようにしてもよい。
「ソースＩＤ」＝「個人認証情報」
【０１１３】
より詳細には，ソースＩＤ生成部１３０は，上記個人認証情報入力装置１２によって認識されたあるユーザＡの個人認証情報−Ａに基づいて，当該ユーザＡに対応するソースＩＤ−Ａを１種類のみ作成する。このとき，ユーザＡが，著作権管理システム１００において実現される複数のサービス（複数のコンテンツ配信サービスおよびリッピングコンテンツ共有サービスなど）を利用する場合であっても，サービスの異同にかかわらず，ユーザＡに関して生成されるソースＩＤは，ソースＩＤ−Ａの１つのみである。
【０１１４】
このように，「ユーザ：ソースＩＤ＝１：１」とすることで，著作権管理システム１００内で流通する多種多様のコンテンツの全てを，コンテンツ所有者単位のみで管理することができる。
【０１１５】
また，図５（ｂ）に示すように，ソースＩＤ生成部１３０は，例えば，上記個人認証情報およびサービスＩＤに基づいてソースＩＤを生成することにより，１人のユーザについて，サービス毎に複数のソースＩＤを生成可能にしてもよい。このサービスＩＤは，著作権管理システム１００において実現される複数のサービス（コンテンツ配信サービスまたはリッピングコンテンツ共有サービス）単位で固有のＩＤである。ここで，コンテンツ配信サービスは，コンテンツ配信サーバ３０からコンテンツ処理装置１０にコンテンツを配信するサービスである。また，リッピングコンテンツ共有サービスは，あるコンテンツ処理装置１０で作成されたリッピングコンテンツを，同一ユーザ所有の複数のコンテンツ処理装置１０，２０間で共有できるようにするサービスである。なお，コンテンツ配信サービスとリッピングコンテンツ共有サービスとは，別管理されるため異なるサービスＩＤが付与される。
【０１１６】
このように，サービス毎に同一ユーザに関し異なるソースＩＤを生成する場合，ソースＩＤ生成部１３０は，例えば，まず，ユーザ入力に基づいて選択されたサービスのサービスＩＤを取得し，次いで，このサービスＩＤと上記個人認証情報とを結合させて，ソースＩＤを生成する。
「ソースＩＤ」＝「サービスＩＤ」＋「個人認証情報」
【０１１７】
この結果，同一ユーザＡに対応したソースＩＤとして，図５（ｂ）に示すように，コンテンツ配信サービスαについてはソースＩＤ−Ａ−αが生成され，コンテンツ配信サービスβについてはソースＩＤ−Ａ−βが生成され，リッピングコンテンツ共有サービスγについてはソースＩＤ−Ａ−γが生成される。
【０１１８】
このように「ユーザ：ソースＩＤ＝１：ｎ」とし，ユーザおよびサービス単位でソースＩＤを生成することで，著作権管理システム１００内で流通する同一ユーザ所有のコンテンツを，サービス毎に別管理することができる。
【０１１９】
以上のようにして，ソースＩＤ生成部１３０は，ソースＩＤを生成し，生成したソースＩＤをリスト管理部１４０に出力する。なお，ソースＩＤ生成部１３０は，上記個人認証情報に対して，上記サービスＩＤ以外の情報，例えば，上記個人認証情報入力装置１２によって認証されたユーザの氏名，ユーザＩＤなどを追加して，ソースＩＤを生成してもよい。また，ソースＩＤ生成部１３０は，上記個人認証情報などの情報を，システム内で取り扱い易いフォーマットにデータ変換（コード化等）して，ソースＩＤを生成してもよい。
【０１２０】
図４に戻り，リスト管理部１４０は，コンテンツ処理装置１０が保有するソースＩＤリストＬを管理する。具体的には，リスト管理部１４０は，上記ソースＩＤ生成部１３０が生成したソースＩＤをソースＩＤリストＬに登録（追加）／更新したり，ソースＩＤリストＬに登録されているソースＩＤを登録解除（削除）したりできる。
【０１２１】
このように，リスト管理部１４０によってソースＩＤをソースＩＤリストＬに登録／登録解除することにより，コンテンツ再生部１７０における当該ソースＩＤが付加されたコンテンツの再生を可能化／不能化することができる。つまり，上記のように，ソースＩＤは，コンテンツの所有者単位で付与されている。従って，リスト管理部１４０によってソースＩＤリストＬにソースＩＤを追加／削除することで，コンテンツ処理装置１０に当該ソースＩＤを登録／登録抹消して，コンテンツの所有者単位でコンテンツの再生を許可／禁止することができる。
【０１２２】
ここで，図５を参照しながら，リスト管理部１４０によるソースＩＤリストＬへのソースＩＤの登録条件について具体的に説明する。リスト管理部１４０は，所定の登録条件に基づき，上記ソースＩＤ生成部１３０によって生成されたソースＩＤを，ソースＩＤリストＬに追加する。
【０１２３】
例えば，図５（ａ）〜（ｃ）に示すように，リスト管理部１４０は，一人のコンテンツの所有者に対応するソースＩＤのみを，ソースＩＤリストＬに追加可能であるようにしてもよい。この結果，各コンテンツ処理装置１０のソースＩＤリストＬには，一人のコンテンツ所有者（一般的には，当該コンテンツ処理装置１０の所有者）に対応するソースＩＤのみしか含まれないようになる。
【０１２４】
具体的には，図５（ａ）に示すように，「ユーザ：ソースＩＤ＝１：１」である場合には，リスト管理部１４０は，一人のユーザＡに対応する１つのソースＩＤ−Ａ−αのみを，ソースＩＤリストＬに登録（リストに追加）することができる。このため，既に１つのソースＩＤ−Ａが登録された状態では，他のユーザＢのソースＩＤ−Ｂを登録することはできない。ただし，ソースＩＤ−Ａを登録解除（リストから削除）すれば，ソースＩＤ−Ｂを新たに登録することは可能である。
【０１２５】
また，図５（ｂ）に示すように，上述したように一人のユーザＡに関し上記サービス毎に複数のソースＩＤを生成する場合，即ち，「ユーザ：ソースＩＤ＝１：ｎ」である場合には，リスト管理部１４０は，当該ユーザＡに対応する複数のソースＩＤ−Ａ−α，β，γを，ソースＩＤリストＬに登録可能である。なお，この場合も，図５（ａ）と同様，他のユーザＢに対応するソースＩＤ−Ｂは登録できない。
【０１２６】
これら図５（ａ），（ｂ）のように，ソースＩＤリストＬに一人のユーザのソースＩＤのみしか登録できないようにすることにより，コンテンツ処理装置１０では，当該ユーザが所有するコンテンツ（当該ユーザが，コンテンツ配信サービスで購入した配信コンテンツ，および当該ユーザがリッピングして作成したコンテンツ）だけしか再生できないようになる。この結果，真のコンテンツ所有者のみが，自身の所有するコンテンツの再生を行えるようにして，コンテンツの著作権を保護できる。
【０１２７】
また，図５（ｃ）に示すように，ソースＩＤリストＬに，あるユーザＡのソースＩＤ−Ａが登録された状態では，リスト管理部１４０は，他のユーザＢ，ＣのソースＩＤ−Ｂ，Ｃを，ソースＩＤリストＬに登録することはできないが，これら他のユーザＢ，ＣのソースＩＤ−Ｂ，Ｃを，ソースＩＤ記憶部１１７に保存するようにしてもよい。これにより，各コンテンツ処理装置１０では，ある一人のユーザのソースＩＤしかソースＩＤリストＬに登録できないが，他のユーザのソースＩＤを保有することは可能になる。なお，ソースＩＤ記憶部１１７は，上記ストレージ装置１１１等で構成される。
【０１２８】
また，上記とは異なり，登録条件の他の例として，図５（ｄ）に示すように，リスト管理部１４０は，個人認証情報入力装置１２によって認識された複数のコンテンツの所有者に対応する複数のソースＩＤを，ソースＩＤリストＬに追加可能であるようにしてもよい。この結果，各コンテンツ処理装置１０のソースＩＤリストＬには，個人認証情報入力装置１２によって認識された複数のコンテンツ所有者（例えば，家族，友人，会社の同僚などといった，当該コンテンツ処理装置１０を操作可能なグループ）に対応するソースＩＤを含ませることができる。これにより，同一の個人認証情報入力装置１２によって認証可能な複数のユーザ（家族等）からなるグループ内であれば，同一のコンテンツ処理装置１０を用いて，コンテンツを共有して利用できる。
【０１２９】
このとき，リスト管理部１４０は，ソースＩＤ生成部１３０で生成された複数のソースＩＤを，無条件でソースＩＤリストＬに追加してもよい。このように無条件で登録するとしても，ソースＩＤが生成されるためには，コンテンツ処理装置１０を実際に操作でき，個人認証情報入力装置１２によって認識されることが求められるため，不特定多数の者が登録されることはないので，コンテンツを著作権管理することが可能である。
【０１３０】
また，リスト管理部１４０は，ソースＩＤリストＬに登録できるソースＩＤの数を制限してもよい。例えば，１つのソースＩＤリストＬには，最大で５つのソースＩＤしか登録できないようにしてもよい。この登録数制限により，同一のコンテンツ処理装置１０を用いてコンテンツを再生できるユーザの人数を制限できるので，より厳格に著作権管理できる。
【０１３１】
以上，リスト管理部１４０の登録処理について説明した。なお，リスト管理部１４０は，上記のようなソースＩＤリストＬに対するソースＩＤの登録処理を，ソースＩＤ生成部１３０からのソースＩＤの入力時に自動的に行ってもよいし，或いは，ユーザによって登録指示が成されたときに行ってもよい。また，リスト管理部１４０は，例えば，ユーザによって登録解除指示が成されたときに，ソースＩＤリストＬに含まれる当該ユーザのソースＩＤを削除し，別のソースＩＤを登録可能な状態にする。
【０１３２】
また，リスト管理部１４０は，ソースＩＤに有効期限情報が定められている場合には，ソースＩＤリストＬへのソースＩＤの追加時に，当該ソースＩＤの有効期限情報もソースＩＤリストＬに記述する。
【０１３３】
また，リスト管理部１４０は，ソースＩＤリストＬに含まれるソースＩＤの更新処理を行う。例えば，リスト管理部１４０は，上記ソースＩＤ生成部１３０から同一ユーザに対応するソースＩＤが再入力される度に，ソースＩＤリストＬに含まれる当該ユーザのソースＩＤを上書きして更新する。さらに，リスト管理部１４０は，同一ユーザに対応するソースＩＤが所定期間（例えば１ヶ月）以上，再入力されない場合には，当該ユーザのソースＩＤをソースＩＤリストから削除（登録解除）する。これにより，他人のソースＩＤの不正使用を防止できる。
【０１３４】
即ち，長期間にわたり，個人認証情報入力装置１２によって認証されないユーザに関しては，当該ユーザに対応するソースＩＤが，ソースＩＤ生成部１３０によって生成されてリスト管理部１４０に再入力されることがない。この場合，リスト管理部１４０は，ソースＩＤリストＬに含まれる当該ユーザに対応するソースＩＤを強制的に削除する。この結果，当該ユーザは，コンテンツ処理装置１０でコンテンツを再生することが不可能となる。よって，コンテンツの所有者でないユーザが，自身のコンテンツ処理装置１０に他人のソースＩＤを一度だけ登録しておき，そのソースＩＤを不正に利用して，長期間にわたり，他人の所有するコンテンツを再生しようとする不正行為を防止できる。
【０１３５】
さらに，リスト管理部１４０は，コンテンツ処理装置（ＰＣ）１０に接続された他のコンテンツ処理装置（ＰＤ）２０のソースＩＤリストＬを書き換えることもできる。例えば，コンテンツ処理装置（ＰＣ）１０と他のコンテンツ処理装置（ＰＤ）２０とがローカルライン９を介してローカル接続された場合に，リスト管理部１４０は，コンテンツ処理装置（ＰＣ）１０自身が保有するソースＩＤリストＬに登録されているソースＩＤを複製して，他のコンテンツ処理装置（ＰＤ）２０が保有するソースＩＤリストＬに登録することができる。これにより，上記他のコンテンツ処理装置（ＰＤ）２０において，当該ソースＩＤが付加されたコンテンツを再生可能となる。また，これとは逆に，リスト管理部１４０は，コンテンツ処理装置（ＰＤ）２０が保有するソースＩＤリストＬに登録されているソースＩＤを読みとって複製し，このソースＩＤをコンテンツ処理装置（ＰＣ）１０自身が保有するソースＩＤリストＬに登録することができる。
【０１３６】
このように，双方のソースＩＤリストＬに登録されているソースＩＤを同期することで，同一のユーザが所有するコンテンツ処理装置（ＰＤ）１０とコンテンツ処理装置（ＰＤ）２０との間で，当該ユーザのソースＩＤが付加されたコンテンツを自由にコピーして再生できるようになる。
【０１３７】
なお，上記のようなリスト管理部１４０により管理されるソースＩＤリストＬおよびソースＩＤ記憶部１１７は，コンテンツ処理装置１０のストレージ装置１１１，若しくはＲＯＭ１０２などに，安全に格納されている。このソースＩＤリストＬは，ユーザによる不正な改竄を防止すべく，例えば，暗号化され，デジタル署名が付された状態で格納される。
【０１３８】
また，図４のソースＩＤ通知部１５０は，上記コンテンツ配信サーバ３０に対し，上記ソースＩＤ生成部１３０によって生成されたソースＩＤを通知する。具体的には，ソースＩＤ通知部１５０は，例えば，ソースＩＤリストに登録されているソースＩＤ若しくはソースＩＤ記憶部１１７に保存されているソースＩＤのいずれか１つを読み出し，この読み出したソースＩＤを，通信装置１１５およびネットワーク５を介して，コンテンツ配信サーバ３０に送信する。このようなソースＩＤ通知部１５０によるソースＩＤの通知処理は，例えば，後述する配信サービス利用部１５２によるコンテンツの配信要求時（最初の一回の配信要求時，若しくは毎回の配信要求時）や，コンテンツ配信サービスのユーザ登録時などに成される。
【０１３９】
このソースＩＤ通知部１５０は，ソースＩＤリストＬに保存されている１つのソースＩＤを自動的に通知してもよいし，或いは，ソースＩＤリストＬに保存されているソースＩＤのうち，ユーザがコンテンツの配信を受けようとするコンテンツ配信サービスに対応するソースＩＤを自動的に選んで通知してもよい。
【０１４０】
また，ソースＩＤ通知部１５０は，ソースＩＤリストＬおよびソースＩＤ記憶部１１７に保存されている複数のソースＩＤのうち，ユーザによって選択されたいずれか１つのソースＩＤを通知してもよい。例えば，父親が自身の所有するコンテンツ処理装置（ＰＣ）１０を用いてコンテンツ配信サーバ３０にログインし，息子のソースＩＤを選択した場合には，ソースＩＤ通知部１５０は，ソースＩＤ記憶部１１７から息子のソースＩＤを読み出して，コンテンツ配信サーバ３０に通知する。
【０１４１】
かかるソースＩＤ通知部１５０によってソースＩＤが通知されると，コンテンツ配信サーバ３０は，配信要求を受けたコンテンツに対して，上記ソースＩＤ通知部１５０から通知されたソースＩＤを付加して，コンテンツ処理装置１０に配信する。
【０１４２】
配信サービス利用部１５２は，上記コンテンツ配信サーバ３０との間で，コンテンツ配信サービスに関する処理を行う。
【０１４３】
具体的には，配信サービス利用部１５２は，例えば，上記コンテンツ配信サービスを利用するために必要なユーザ認証情報（ユーザＩＤ，パスワード等），課金情報，コンテンツ配信要求情報などの各種情報を，上記コンテンツ配信サーバ３０との間で送受信したり，これらの情報の入出力を支援したりする。
【０１４４】
また，配信サービス利用部１５２は，コンテンツ配信サーバ３０から，上記ソースＩＤによって通知されたソースＩＤが付加された配信コンテンツを，ネットワーク５および通信装置１１５を介して受信する。即ち，配信サービス利用部１５２は，コンテンツ処理装置１０のユーザがコンテンツ配信サービスを利用してコンテンツを購入すると，上記コンテンツ配信サーバ３０から配信コンテンツのファイルと，当該配信コンテンツの利用条件を定めたライセンスのファイルを，例えば別ファイルでダウンロードする。この配信コンテンツのライセンスには，上記ソースＩＤ通知部１５０によって通知されたソースＩＤが記述されている。
【０１４５】
配信サービス利用部１５２は，このように受信した配信コンテンツのデータおよびライセンスのデータを加工して，例えば，コンテンツとライセンスとを同一ファイルとしたコンテンツファイルを作成する。具体的には，図６に示すように，このコンテンツファイルＦは，例えば，コンテンツＩＤと，コンテンツ暗号鍵で暗号化されたコンテンツデータと，著作権管理システム１００のみが取り扱い可能なシステム共通鍵で暗号化されたコンテンツ暗号鍵と，上記通知されたソースＩＤが記述されたライセンスと，を含む。
【０１４６】
このようなコンテンツファイルＦにおけるライセンスは，改竄を検出できるように暗号化処理されている。これにより，ソースＩＤをコンテンツに安全に関連付けることができる。また，コンテンツ処理装置１０は，例えば，暗号化されたコンテンツ鍵の復号およびライセンスの改竄チェックを行うことができるように，共通の秘密情報を保持している。このため，コンテンツが著作権管理システム１００内で流通しても，コンテンツに付加されたソースＩＤが改竄されることを好適に防止できる。
【０１４７】
配信サービス利用部１５２は，このように作成したコンテンツファイルＦを，例えばストレージ装置１１１内のコンテンツデータベース１１６に記録する。なお，本実施形態では，上記のように，対応するコンテンツとライセンスを同一ファイルで管理して，コンテンツデータベース１１６に格納するが，かかる例に限定されない。例えば，コンテンツとライセンスとを別ファイルで管理してもよい。この場合には，コンテンツファイルはコンテンツデータベース１１６に格納し，ライセンスファイルはライセンスデータベースに格納して，双方のファイルに含まれるコンテンツＩＤ等によってコンテンツとライセンスとを関連付けてもよい。
【０１４８】
このような配信コンテンツには，上記ソースＩＤ通知部１５０により通知されたソースＩＤが付加されているので，当該ソースＩＤをソースＩＤリストＬに含むコンテンツ処理装置１０，２０，即ち，当該ソースＩＤに対応するユーザ所有のコンテンツ処理装置１０でしか再生することができない。従って，上記ソースＩＤ通知部１５０によってソースＩＤリストＬに登録されたソースＩＤを通知して，配信コンテンツを購入した場合には，当該配信コンテンツは，配信要求元のコンテンツ処理装置１０自身で再生可能である。
【０１４９】
一方，上記ソースＩＤ記憶部１１７に記憶されたソースＩＤ（例えば，息子のソースＩＤ）を通知して，例えば父親が配信コンテンツを購入した場合には，当該配信コンテンツは，配信要求元のコンテンツ処理装置１０自身で再生することができず，当該息子のソースＩＤが登録されたコンテンツ処理装置１０，２０でのみ再生可能である。このようにして，例えば，父親の所有するコンテンツ処理装置１０を用いて，息子の所有するコンテンツ処理装置１０，２０で再生可能な配信コンテンツを購入し，これを息子の所有するコンテンツ処理装置１０，２０にコピーすることで，父親から息子に配信コンテンツをプレゼントすることができる。
【０１５０】
以上のような配信サービス利用部１５２は，例えば，利用するコンテンツ配信サービスに対応したコンテンツ配信サービス用のソフトウェアを，コンテンツ処理装置１０にインストールすることによって構成される。なお，この配信サービス利用部１５２は，ユーザが利用する複数のコンテンツ配信サービス毎に複数設けられてもよい。
【０１５１】
また，ソースＩＤ付加部１５４は，後述するリッピング部１８４によって音楽ＣＤ７ａ等からリッピングされたコンテンツ（リッピングコンテンツ）に対して，コンテンツ処理装置１０自身が保有するソースＩＤリストＬに含まれるソースＩＤを付加する。具体的には，ソースＩＤ付加部１５４は，ソースＩＤリストＬに登録されているソースＩＤを読み出し，この読み出したソースＩＤを含むライセンスを作成し，かかるライセンスをリッピングコンテンツデータに関連付ける。即ち，ソースＩＤ付加部１５４は，図６に示したような，コンテンツＩＤと，暗号化されたリッピングコンテンツデータと，暗号化されたコンテンツ鍵と，ソースＩＤが記述されたライセンスを含むコンテンツファイルＦを作成する。ソースＩＤ付加部１５４は，このようにしてソースＩＤを付加したリッピングコンテンツを，コンテンツデータベース１１６に記録する。
【０１５２】
なお，このソースＩＤ付加部１５４によるソースＩＤの付加タイミングは，例えば，コンテンツのリッピング完了時点が好ましい。このようにして，リッピングコンテンツにソースＩＤを即座に付加することにより，著作権管理が必要なリッピングコンテンツがシステム１００内に流通する前に確実にソースＩＤを付加することができる。なお，ソースＩＤの付加タイミングは，かかる例に限定されず，例えば，リッピングコンテンツの初回再生時，他のコンテンツ処理装置１０へのコピー時などであってもよい。
【０１５３】
また，本実施形態では，配信コンテンツに対しては，配信前に，コンテンツ配信サーバ３０によってソースＩＤが付加されるが，かかる例に限定されず，例えば，配信後に，コンテンツ処理装置１０の上記ソースＩＤ付加部１５４によって，ソースＩＤを付加してもよい。具体的には，まず，コンテンツ配信サーバ３０からコンテンツ処理装置１０に，ソースＩＤが付加されていないコンテンツを配信し，次いで，コンテンツ処理装置１０において，上記ソースＩＤ付加部１５４が，配信されたコンテンツに対して，ソースＩＤリストＬに登録されているソースＩＤを付加するようにしてもよい。
【０１５４】
また，ソースＩＤ付加部１５４は，コンテンツに対して，ソースＩＤと，当該ソースＩＤの有効期限情報などを付加してもよい。これによって，コンテンツに付加されたソースＩＤの有効期限情報に基づき，当該コンテンツの再生期限を管理することができるようになる。
【０１５５】
コンテンツ処理部１６０は，コンテンツに対する各種処理を行う。このコンテンツ処理部１６０は，例えば，コンテンツを利用（例えば再生，転送等）するアプリケーションプログラムや，コンテンツの利用を著作権管理するＤＲＭモジュールなどを，コンテンツ処理装置１０にインストールすることによって構成される。このコンテンツ処理部１６０は，例えば，コンテンツ再生部と１７０と，コンテンツ提供部１８０と，コンテンツ取得部１８２と，リッピング部１８４とを備える。
【０１５６】
コンテンツ再生部１７０は，例えば，コンテンツ再生機能を有する再生装置，あるいはコンテンツ処理装置１０にインストールされたコンテンツ再生用ソフトウェアなどによって構成されており，著作権管理対象のコンテンツを再生することができる。このコンテンツ再生部１７０によって再生されたコンテンツは，上記出力装置１１０から出力される。
【０１５７】
また，コンテンツ再生部１７０は，再生対象のコンテンツに付加されているソースＩＤが，ソースＩＤリストＬに登録されているか否か（ソースＩＤリストＬに含まれているか否か）に基づいて，当該再生対象のコンテンツの再生を制御する。即ち，コンテンツ再生部１７０は，再生対象のコンテンツに付加されたソースＩＤが，ソースＩＤリストＬに登録されている場合には，当該再生対象のコンテンツを再生可能であり，一方，登録されていない場合には，当該再生対象のコンテンツを再生不能である。このような再生制限により，コンテンツの正当な所有者でなければ，コンテンツを再生できないようにして，システム１００内で流通するコンテンツを著作権管理することができる。
【０１５８】
なお，コンテンツ再生部１７０は，１つのコンテンツ処理装置１０に２つ以上設けられてもよい。例えば，１つのコンテンツ処理装置１０に２種以上のコンテンツ再生用ソフトウェアをインストールする，２台以上の再生装置を設ける，或いは，コンテンツ再生用ソフトウェアと再生装置を併用することなどにより，１つのコンテンツ処理装置１０内に，複数のコンテンツ配信サービスや複数のコンテンツのデータフォーマットに対応した２以上のコンテンツ再生部１７０を設けてもよい。なお，かかるコンテンツ再生部１７０の詳細については後述する。
【０１５９】
コンテンツ提供部１８０は，他のコンテンツ処理装置（ＰＣ）１０またはコンテンツ処理装置（ＰＤ）２０に対して，コンテンツを提供する。また，コンテンツ取得部１８２は，他のコンテンツ処理装置（ＰＣ）１０またはコンテンツ処理装置（ＰＤ）２０から，コンテンツを取得する。これらコンテンツ提供部１８０およびコンテンツ取得部１８２は，コンテンツの提供／取得処理を，例えば，ネットワーク５またはローカルライン９を介した送受信処理によって実行してもよいし，或いは，記録媒体７を介して実行してもよい。
【０１６０】
リッピング部１８４は，音楽コンテンツや映像コンテンツを記録したＣＤ，ＤＶＤ等のリムーバブル記録媒体７ａに記録されているコンテンツをリッピングする。具体的には，リッピング部１８４は，例えば，ユーザ入力に応じて，ドライブ１１２を制御して，記録媒体７ａから音楽／映像データ等を取り出し，かかる音楽／映像データをコンテンツ処理装置１０で処理可能なフォーマット（例えばＡＴＲＡＣ３形式等）に変換してコンテンツデータを作成する。このようにリッピングしたコンテンツは，上記のように，ソースＩＤ付加部１５４によって，ソースＩＤリストＬに登録されたソースＩＤが付加される。
【０１６１】
なお，このリッピング部１８４以外にも，自己録音・録画によってコンテンツを新規に作成するセルフレコーディング部（図示せず。）を設けてもよい。このセルフレコーディング部は，コンテンツ処理装置１０の周辺の音声を集音，被写体を撮像して，音声データまたは映像データ等を生成し，かかるデータに所定のデータ処理を施してコンテンツを新規作成してもよいし，或いは，通信装置１１５等を介して受信したテレビ番組，ラジオ番組などの映像／音声データを，コンテンツ処理装置１０で処理可能なフォーマットに変換して，新規コンテンツを作成してもよい。このセルフレコーディング部によって作成されたコンテンツに対しても，上記と同様にしてソースＩＤを付加することによって，かかるコンテンツを著作権管理できるようになる。
【０１６２】
以上，コンテンツ処理装置１０の各構成要素について説明した。上記データ通信部１２０，グループ登録部１３０，リスト管理部１４０，ソースＩＤ通知部１５０，配信サービス利用部１５２，ソースＩＤ付加部１５４，コンテンツ処理部１６０などは，例えば，上記各機能を有するハードウェアとして構成されてもよいし，或いは，上記各機能をコンピュータに実現させるプログラムをコンテンツ処理装置（ＰＣ）１０にインストールすることによって構成されてもよい。
【０１６３】
次に，図７に基づいて，上記コンテンツ処理装置（ＰＣ）１０のコンテンツ再生部１７０について詳細に説明する。なお，図７は，本実施形態にかかるコンテンツ処理装置（ＰＣ）１０のコンテンツ再生部１７０の機能を概略的に示すブロック図である。
【０１６４】
図７に示すように，コンテンツ再生部１７０は，例えば，再生可否判断部１７２と，再生実行部１７４と，エラー通知部１７６とを備える。
【０１６５】
再生可否判断部１７２は，ユーザによって再生要求された再生対象のコンテンツ（配信コンテンツまたはリッピングコンテンツ等）の再生を制御する。この再生可否判断部１７２は，再生対象のコンテンツに付加されているソースＩＤと，ソースＩＤリストＬに登録されているソースＩＤとに基づいて，当該コンテンツの再生の可否を判断する。
【０１６６】
具体的には，まず，再生可否判断部１７２は，例えば，入力装置１０８から，ユーザによって指定されたコンテンツの再生要求を受付けると，再生対象のコンテンツをコンテンツデータベース１１６から読み出し，かかるコンテンツにソースＩＤが付加されているか否か，即ち，当該コンテンツファイル内のライセンスにソースＩＤが記述されているか否かを判別する。コンテンツにソースＩＤが付加されていない場合には，再生可否判断部１７２は，著作権管理の不要なコンテンツであると判断して，再生対象のコンテンツの再生を許可し，再生実行部１７４に対して当該コンテンツの再生指示信号を出力する。一方，コンテンツにソースＩＤが付加されている場合には，再生可否判断部１７２は，再生対象のコンテンツが著作権管理の必要なコンテンツであると判断して，以下の処理を行う。
【０１６７】
まず，再生可否判断部１７２は，記憶部からソースＩＤリストＬを読み出して解釈し，ソースＩＤリストＬに少なくとも１つのソースＩＤが登録されているか否かを判断する。この判断の結果，ソースＩＤリストＬにソースＩＤが１つも登録されていない場合には，再生可否判断部１７２は，再生対象のコンテンツの再生を禁止する。
【０１６８】
一方，ソースＩＤリストＬに少なくとも１つのソースＩＤが登録されている場合には，再生可否判断部１７２は，再生対象のコンテンツに付加されているソースＩＤ（コンテンツファイル内のライセンスに記述されているソースＩＤ）を読み出す。次いで，再生可否判断部１７２は，上記再生対象のコンテンツに付加されているソースＩＤと，ソースＩＤリストＬに登録されている１又は２以上のソースＩＤとを照合し，上記再生対象のコンテンツに付加されているソースＩＤと，ソースＩＤリストＬに登録されているいずれかのソースＩＤと，が一致するか否かを判断する。
【０１６９】
より詳細には，この照合時において，ソースＩＤが上記バイオメトリクス情報に基づいて生成されている場合には，再生可否判断部１７２は，上記再生対象のコンテンツに付加されているソースＩＤのデータと，ソースＩＤリストＬに登録されているソースＩＤのデータとが，所定の割合以上（例えば８０％）で一致していれば，同一のソースＩＤであると判断する。
【０１７０】
この理由は，ソースＩＤがバイオメトリクス情報に基づいて生成されている以上，厳格な一致を要求すると，双方のソースＩＤが同一のユーザに対応するソースＩＤであっても，相互に一致すると判断されなくなる可能性があるからである。即ち，上述したように，上記個人認証情報入力装置１２では，認証対象が同一のユーザであったとして，完全に同一の複数のバイオメトリクス情報を生成することは困難である。従って，このような複数のバイオメトリクス情報に基づいて，異なるタイミングでそれぞれ生成された複数のソースＩＤは，同一のユーザのものであるにもかかわらず，完全に同一である可能性は低い。よって，このような同一のユーザに対応するが，異なるタイミングで生成された複数のソースＩＤを，同一であると判断するためには，双方のソースＩＤのデータのうちの所定割合以上が一致していれば，同一のソースＩＤであると判断する必要がある。
【０１７１】
なお，ソースＩＤが，カードまたは携帯端末等に記憶された個人識別情報（社員番号，クレジットカード番号，携帯電話番号等）に基づいて生成される場合には，再生可否判断部１７２は，上記再生対象のコンテンツに付加されているソースＩＤと，ソースＩＤリストＬに登録されているソースＩＤとが，完全に同一であることを求めてもよい。
【０１７２】
以上のような照合の結果，再生可否判断部１７２は，上記再生対象のコンテンツに付加されているソースＩＤがソースＩＤリストＬに登録されていると判断した場合には，ソースＩＤの有効期限をチェックし，この結果，ソースＩＤが有効期限内である場合に，記再生対象のコンテンツの再生を許可し，再生実行部１７４に対してコンテンツの再生指示信号を出力する。
【０１７３】
一方，上記再生対象のコンテンツに付加されているソースＩＤが，ソースＩＤリストＬに登録されていない場合や，ソースＩＤが有効期限切れである場合には，再生可否判断部１７２は，上記再生対象のコンテンツの再生を禁止し，再生指示信号を出力しない。このため，再生実行部１７４は当該コンテンツを再生不能である。また，この場合，再生可否判断部１７２は，例えば，エラー通知部１７６に，再生不可と判断した旨の信号を出力する。
【０１７４】
このように，コンテンツの所有者に対応するソースＩＤがソースＩＤリストＬに登録されたコンテンツ処理装置１０では，当該所有者の購入した配信コンテンツ，若しくは作成したリッピングコンテンツを再生可能である。例えば，図７に示すように，ソースＩＤリストＬにユーザＡのソースＩＤ−Ａのみが登録されている場合，ソースＩＤ−Ａが付加されたコンテンツ（ユーザＡの所有するコンテンツ）は再生可能であるが，ソースＩＤ−Ｂが付加されたコンテンツ（ユーザＢの所有するコンテンツ）は再生不可能である。
【０１７５】
なお，上記のように，本実施形態にかかる再生可否判断部１７２は，ソースＩＤリストＬに登録されていないソースＩＤが付加されたコンテンツの再生を完全に禁止するという再生制限を行う。しかし，コンテンツの再生制限はかかる例に限定されない。例えば，再生可否判断部１７２は，当該コンテンツの再生を時間的若しくは内容的に一部だけに限定して再生を許可する，画質，音質等を低下させて再生を許可する，或いは，最初の所定回（例えば１回）だけ再生を許可しそれ以降は再生を禁止する，などといった再生制限を行うようにしてもよい。
【０１７６】
再生実行部１７４は，上記再生可否判断部１７２の再生指示信号に応じて，指定されたコンテンツを再生する。具体的には，再生実行部１７４は，まず，サービス共通鍵を用いて，暗号化されたコンテンツ鍵を復号し，次いで，この復号化されたコンテンツ鍵を用いて，暗号化されたコンテンツを復号し，さらに，当該復号化されたコンテンツをデコードして再生し，出力装置１１０から出力する。
【０１７７】
エラー通知部１７６は，上記再生可否判断部１７２によって，再生対象のコンテンツが再生不可である判断された場合に，出力装置１１０を制御して，再生エラー通知を音声出力若しくは表示出力させる。これによって，ユーザは，自身が再生対象のコンテンツの再生権限を有していない旨，或いは，当該権限を有しているがコンテンツ処理装置１０に自身のソースＩＤが未登録である旨を認識できる。
【０１７８】
＜５．コンテンツ処理装置（ＰＤ）＞
次に，本実施形態にかかるコンテンツ処理装置（ＰＤ）２０の構成について詳細に説明する。
【０１７９】
まず，図８に基づいて，本実施形態にかかるコンテンツ処理装置（ＰＤ）２０のハードウェア構成について説明する。なお，図８は，本実施形態にかかるコンテンツ処理装置（ＰＤ）２０のハードウェア構成の例を概略的に示すブロック図である。
【０１８０】
図８に示すように，コンテンツ処理装置（ＰＤ）２０は，例えば，制御装置２０１と，フラッシュメモリ２０２と，ＲＡＭ２０３と，バス２０６と，入力装置２０８と，表示装置２１０と，ストレージ装置（ＨＤＤ）２１１と，ドライブ２１２と，接続ポート２１４と，デコーダ２１３と，オーディオ出力回路２１６と，リモートコントローラ２１８と，ヘッドフォン２１９とを備える。
【０１８１】
制御装置２０１は，コンテンツ処理装置２０内の各部を制御する。フラッシュメモリ２０２は，例えば，制御装置２０１の動作を制御するプログラムや，各種のデータを記憶する。また，ＲＡＭ２０３は，例えばＳＤＲＡＭ（Ｓｙｎｃｈｒｏｎｏｕｓ  ＤＲＡＭ）で構成され，制御装置２０１の処理に関する各種データを一次記憶する。
【０１８２】
バス２０６は，制御装置２０１，フラッシュメモリ２０２，ＲＡＭ２０３，入力装置２０８，表示装置２１０，ストレージ装置（ＨＤＤ）２１１，ドライブ２１２，デコーダ２１３，接続ポート２１４およびオーディオ出力回路２１６などを接続するデータ線である。
【０１８３】
入力装置２０８とリモートコントローラ２１８は，例えば，タッチパネル，ボタンキー，レバー，ダイヤル等の操作手段と，ユーザによる操作手段に対する操作に応じて入力信号を生成して制御装置２０１に出力する入力制御回路などから構成されている。コンテンツ処理装置１０のユーザは，この入力装置２０８や，後述のリモートコントローラ２１８を操作することにより，コンテンツ処理装置１０に対して各種のデータを入力したり処理動作を指示したりすることができる。
【０１８４】
表示装置２１０は，例えばＬＣＤパネルおよびＬＣＤ制御回路などで構成される。この表示装置２１０は，制御装置２０１の制御に応じて，例えば，コンテンツのタイトル情報，再生時間，コンテンツ処理装置２０の動作内容などの各種情報をテキストまたはイメージで表示する。
【０１８５】
ストレージ装置２１１は，本実施形態にかかるコンテンツ処理装置２０の記憶部の一例として構成されたデータ格納用の装置である。このストレージ装置２１１は，例えば数十ＧＢの記憶容量を有するハードディスクドライブ（ＨＤＤ）で構成され，圧縮されたコンテンツや，制御装置２０１のプログラム，処理データ等の各種のデータを格納する。なお，コンテンツ処理装置２０は，ストレージ装置２１１を必ずしも具備しなくてもよく，コンテンツ記憶部として，リムーバブル記録媒体７のみを利用してもよい。
【０１８６】
ドライブ２１２は，リムーバブル記録媒体７用のリーダライタであり，コンテンツ処理装置１０に内蔵，或いは外付けされる。このドライブ２１２は，コンテンツ処理装置２０にローディングされた磁気ディスク，光ディスク，光磁気ディスク，または半導体メモリ等のリムーバブル記録媒体７に対して，コンテンツ，プログラムなどの各種データを記録／再生する。
【０１８７】
デコーダ２１３は，暗号化されているコンテンツデータの復号処理，デコード処理，サラウンド処理，ＰＣＭデータへの変換処理などを行う。
【０１８８】
接続ポート２１４は，コンテンツ処理装置（ＰＣ）１０または個人認証情報入力装置１２等の外部装置に対して，コンテンツ処理装置（ＰＤ）２０を接続するための接続部であり，例えば，ＵＳＢコントローラ等の通信コントローラっと，ＵＳＢ端子等の接続端子などで構成される。この接続ポート２１４によって，コンテンツ処理装置（ＰＤ）２０は，ＵＳＢケーブル等のローカルライン９を介して接続されたコンテンツ処理装置１０または個人認証情報入力装置１２との間で，コンテンツ，ソースＩＤリストＬ，個人認証情報，制御信号などの各種データを送受信する。
【０１８９】
オーディオ出力回路２１６は，デコーダ２１３により復号され，ＣＰＵによってＤＡ変換されたアナログ音声データを増幅してリモートコントローラ２１８に出力する。このアナログ音声データは，リモートコントローラ２１８からヘッドフォン２１９に出力され，ヘッドフォン２１９に内蔵されたスピーカから出力される。
【０１９０】
ここで，このようなハードウェア構成のコンテンツ処理装置２０における主なデータフローについて説明する。
【０１９１】
まず，コンテンツ処理装置（ＰＤ）２０が，コンテンツ処理装置（ＰＣ）１０から，コンテンツを受信したときのデータフローについて説明する。コンテンツ処理装置２０とコンテンツ処理装置１０とが，ＵＳＢケーブル等のローカルライン９で接続されると，コンテンツ処理装置１０では，コンテンツ処理装置２０はリムーバブルなＨＤＤとして認識される。この状態で，コンテンツ処理装置１０がコンテンツ処理装置２０にコンテンツおよびＩＣＶデータ等の制御情報を送信すると，接続ポート２１４の通信コントローラは，これらのデータを受信する。次いで，受信されたコンテンツは，通信コントローラによってストレージ装置２１１に直接記憶される。一方，通信コントローラによって受信された制御情報は，制御装置２０１により，所定の記憶領域に記憶される。
【０１９２】
次に，コンテンツ処理装置（ＰＤ）２０が，コンテンツを再生するときのデータフローについて説明する。まず，コンテンツの再生要求が制御装置２０１に入力され，制御装置２０１によって当該コンテンツの再生が許可された場合には，制御装置２０１は，再生対象のコンテンツをストレージ装置２１１から読み出して，ＲＡＭ２０３に転送すると同時並行して，ＲＡＭ２０３に転送されたコンテンツデータをデコーダ２１３に転送する。次いで，デコーダ２０３は，暗号化されているコンテンツデータの復号処理，デコード処理，サラウンド処理，ＰＣＭデータへの変換処理などを行い，制御装置２０１に転送する。さらに，制御装置２０１は，入力されたＰＣＭデータを，ＤＡ変換器（図示せず。）によってボリューム調整を行いアナログ音声データに変換して，オーディオ出力回路２１６のアンプに転送する。オーディオ出力回路２１６は，このアナログ音声データを，リモートコントローラ２１８を介してヘッドフォン２１９から音声出力する。
【０１９３】
次に，図９に基づいて，本実施形態にかかるコンテンツ処理装置２０の主な機能について説明する。なお，図９は，本実施形態にかかるコンテンツ処理装置２０の機能を概略的に示すブロック図である。
【０１９４】
図９に示すように，コンテンツ処理装置１０は，例えば，ソースＩＤリストＬおよびコンテンツデータベース２１６を記憶する記憶部２１０と，データ通信部２２０と，ソースＩＤ生成部２３０と，リスト管理部２４０と，コンテンツ提供／取得部２５０と，再生可否判断部２７２および再生実行部２７４を有するコンテンツ再生部２７０と，を備える。
【０１９５】
記憶部２１０は，例えば，上記ストレージ装置２１１，フラッシュメモリ２０２およびリムーバブル記録媒体７等で構成され，各種データを記憶する。この記憶部は，ソースＩＤリストＬおよびコンテンツデータベース２１６を記憶している。
【０１９６】
ソースＩＤリストＬは，上記コンテンツ処理装置（ＰＣ）１０のソースＩＤリストＬと略同一である。このソースＩＤリストＬは，コンテンツ処理装置（ＰＤ）２０のリスト管理部２４０によって管理されてもよいし，或いは，コンテンツ処理装置（ＰＣ）１０のリスト管理部１４０によって管理されてもよい。
【０１９７】
また，コンテンツデータベース２１６は，コンテンツ処理装置１０から転送されたコンテンツを格納する。このコンテンツデータベース２１６には，上記図６に示したようなソースＩＤを含むライセンスが付加されたコンテンツファイルＦが記憶される。
【０１９８】
データ通信部２２０は，上記接続ポート２１４およびローカルライン９を介して，コンテンツ処理装置１０若しくは個人認証情報入力装置１２との間でデータを送受信する。
【０１９９】
ソースＩＤ生成部２３０は，コンテンツ処理装置（ＰＤ）２０に内蔵／外付けされた個人認証情報入力装置１２から入力された個人認証情報に基づいて，この個人認証情報入力装置１２により認識されたユーザに対応するソースＩＤを生成する。このソースＩＤ生成部２３０の機能構成は，上記コンテンツ処理装置（ＰＣ）１０のソースＩＤ生成部１３０と略同一であるで，詳細説明は省略する。
【０２００】
また，リスト管理部２４０は，ソースＩＤリストＬを管理する。例えば，このリスト管理部２４０は，ソースＩＤ生成部２１０によって生成されたソースＩＤを所定の追加条件に基づきソースＩＤリストＬに登録（追加）したり，ソースＩＤリストＬに登録されているソースＩＤを更新／登録解除（削除）したりする。このリスト管理部２４０の機能構成は，上記コンテンツ処理装置（ＰＣ）１０のリスト管理部２４０と略同一であるで，詳細説明は省略する。
【０２０１】
このようなソースＩＤ生成部２３０およびリスト管理部２４０を具備することにより，コンテンツ処理装置（ＰＤ）２０は，外付け若しくは内蔵された個人認証情報入力装置１２から入力された個人認証情報に基づいて，自らソースＩＤを作成してソースＩＤリストＬに登録できる。
【０２０２】
具体的には，図１０（ａ）に示すように，例えば，コンテンツ処理装置（ＰＤ）２０と個人認証情報入力装置１２の一例である指紋認証装置１２Ｂとを，ＵＳＢケーブル等のローカルライン９でローカル接続する。次いで，ユーザＡの指先を指紋認証装置１２Ｂに接触させると，指紋認証装置１２Ｂは，個人認証情報の一例である指紋情報を生成して，コンテンツ処理装置２０に出力する。さらに，コンテンツ処理装置２０は，指紋認証装置１２Ｂから入力された指紋情報に基づいて，ユーザＡに関するソースＩＤ−Ａを自ら作成し，このソースＩＤ−Ａを自身が保有するソースＩＤリストＬに登録する。
【０２０３】
また，コンテンツ処理装置（ＰＤ）２０とコンテンツ処理装置（ＰＣ）１０とを接続することにより，コンテンツ処理装置（ＰＣ）１０のリスト管理部１４０によって，コンテンツ処理装置（ＰＣ）１０が保有するソースＩＤリストＬのソースＩＤを，コンテンツ処理装置（ＰＤ）２０が保有するソースＩＤリストＬに複製して登録することもできる。
【０２０４】
具体的には，図１０（ｂ）に示すように，まず，コンテンツ処理装置（ＰＣ）１０と個人認証情報入力装置１２とを，ローカルライン９を用いてローカル接続する。次いで，上述したようにして，コンテンツ処理装置（ＰＣ）１０が保有するソースＩＤリストＬ１に，ユーザＡのソースＩＤ−Ａを登録する。次いで，コンテンツ処理装置（ＰＤ）２０とコンテンツ処理装置（ＰＣ）１０とを，ローカルライン９を用いてローカル接続する。さらに，コンテンツ処理装置（ＰＣ）１０のリスト管理部１４０によって，コンテンツ処理装置（ＰＣ）１０のソースＩＤリストＬ１に登録されているソースＩＤを読み出し，コンテンツ処理装置（ＰＣ）２０のソースＩＤリストＬ２に書き込む。
【０２０５】
なお，コンテンツ処理装置（ＰＤ）２０は，個人認証情報入力装置１２を内蔵しておらず，かつ，外付けすることもできなくてもよい。この場合には，コンテンツ処理装置（ＰＤ）２０は，上記ソースＩＤ生成部２３０およびリスト管理部２４０を具備しなくてもよい。かかる場合には，上記図１０（ｂ）で説明したように，コンテンツ処理装置（ＰＣ）１０のリスト管理部１４０によって，コンテンツ処理装置（ＰＤ）２０のソースＩＤリストＬを管理することになる。
【０２０６】
コンテンツ提供／取得部２５０は，他のコンテンツ処理装置（ＰＤ）２０またはコンテンツ処理装置（ＰＣ）１０との間で，ローカルライン９またはリムーバブル記録媒体７を介して，コンテンツを提供／取得する。
【０２０７】
コンテンツ再生部２７０は，コンテンツに付加されているソースＩＤと，ソースＩＤリストＬに基づいて，コンテンツを再生制御する。このコンテンツ再生部２７０は，再生可否判断部２７２と再生実行部２７４とを有する。
【０２０８】
再生可否判断部２７２は，再生対象のコンテンツに付加されているソースＩＤがソースＩＤリストＬに登録されている場合には，当該コンテンツの再生を許可し，一方，当該ソースＩＤがソースＩＤリストＬに登録されていない場合には，当該コンテンツの再生を禁止する。また，再生可否判断部２７２は，ソースＩＤリストＬ内のソースＩＤに有効期限が設定されている場合には，当該ソースＩＤが有効期限内である場合に，コンテンツの再生を許可する。なお，この再生可否判断部２７２は，上記コンテンツ処理装置（ＰＣ）１０の再生可否判断部１７２と略同一の機能構成を有するので，詳細説明は省略する。
【０２０９】
再生実行部２７４は，例えば，上記オーディオ出力回路２１６などで構成されており，上記再生可否判断部２７２によって再生可能であると判断されたコンテンツを再生して音声出力する。なお，この再生実行部２７４は，上記コンテンツ処理装置（ＰＣ）１０の再生実行部１７４と略同一の機能構成を有するので，詳細説明は省略する。
【０２１０】
以上，本実施形態にかかるコンテンツ処理装置（ＰＤ）２０の機能構成について説明した。このコンテンツ処理装置２０は，コンテンツに付加されたソースＩＤとソースＩＤリストＬに基づいてコンテンツを再生制御する著作権管理を実行する。このため，ユーザは，自身の所有するコンテンツ処理装置（ＰＣ）１０からコンテンツ処理装置２０（ＰＤ）にコンテンツを自由にコピーして，再生できるので，従来のチェックイン・チェックアウト方式と比べて，ユーザによるコンテンツ利用の自由度が高く，よりユーザフレンドリーである。
【０２１１】
なお，上記データ通信部２２０，ソースＩＤ生成部２３０，コンテンツ提供／取得部２５０およびコンテンツ再生部２７０などは，例えば，上記各機能を有するハードウェアとして構成されてもよいし，或いは，上記各機能をコンピュータに実現させるプログラムをコンテンツ処理装置２０にインストールすることによって構成されてもよい。
【０２１２】
＜６．コンテンツ配信サーバ＞
次に，図１１に基づいて本実施形態にかかるコンテンツ配信サーバ３０の構成について詳細に説明する。図１１は，本実施形態にかかるコンテンツ配信サーバ３０の機能を概略的に示すブロック図である。なお，本実施形態にかかるコンテンツ配信サーバ３０のハードウェア構成は，上記図４に基づいて説明したコンテンツ処理装置（ＰＣ）１０のハードウェア構成と同様であるので，説明を省略する。
【０２１３】
図１１に示すように，コンテンツ配信サーバ３０は，コンテンツ処理装置１０のユーザに対し，例えば有料でコンテンツを配信するコンテンツ配信サービスを行う。このコンテンツ配信サーバ３０は，例えば，記憶部３１０と，データ通信部３２０と，ユーザ登録部３３２と，ユーザ認証部３３４と，コンテンツ配信部３３６と，ソースＩＤ付加部３３８と，記憶部３３０と，を備える。
【０２１４】
記憶部３１０は，例えば，コンテンツ配信サーバ３０が具備するＨＤＤ等のストレージ装置（図示せず。）などで構成される。この記憶部３１０は，ユーザ情報データベース３１２，コンテンツデータベース３１４および課金情報データベース３１６を記憶する。
【０２１５】
ユーザ情報データベース３１２は，コンテンツ配信サービスに関するユーザアカウント情報（例えばユーザＩＤ，クレジットカード番号，パスワード等）や，コンテンツ処理装置１０から通知されたソースＩＤを保存するデータベースである。コンテンツデータベース３１４は，コンテンツ配信サービスの配信対象である複数のコンテンツを保存するデータベースである。課金情報データベース３１６は，コンテンツに配信に応じて課金されるユーザごとの課金情報を保存するデータベースである。
【０２１６】
データ通信部３２０は，コンテンツ処理装置（ＰＣ）１０等の間で，ネットワーク５を介して，コンテンツを含む各種のデータを送受信する。
【０２１７】
ユーザ登録部３３２は，コンテンツ配信サービスの利用を希望する新規ユーザの登録処理，登録変更処理，登録解除処理およびユーザアカウント情報の管理などを行う。サービス登録されたユーザに対しては，ユーザ単位で固有のユーザアカウントが付与される。このようなユーザ登録部３３２による登録処理によって決定された各種のユーザアカウント情報は，ユーザ情報データベース３１２に保存される。
【０２１８】
また，例えば，このサービス登録時には，上記コンテンツ処理装置（ＰＣ）１０のソースＩＤ通知部１５０によって，上記サービス登録されたユーザのソースＩＤが通知される。ユーザ登録部３３２は，上記通知されたソースＩＤを，当該登録ユーザと関連づけて，ユーザ情報データベース３１２に保存する。これによって，コンテンツ処理装置１０は，サービス登録時に一回のみ，ユーザのソースＩＤを通知して，コンテンツ配信サーバ３０に登録しておけば，その後のコンテンツ配信時には，同一のソースＩＤを通知しなくて済むので，効率的である。
【０２１９】
ユーザ認証部３３４は，例えば，上記サービス登録されたユーザが所有するコンテンツ処理装置１０からの接続要求（登録要求，登録解除要求，コンテンツ配信要求，ユーザアカウント情報変更要請など）に応じて，要求元のコンテンツ処理装置１０を所有するユーザを認証するユーザ認証処理を行う。このユーザ認証処理は，例えば，ユーザによって入力されたユーザアカウント情報等と，ユーザ情報データベース３１２に保存されているユーザアカウント情報とが一致するか否かに基づいて行われる。認証されたユーザは，例えば，コンテンツ配信部３３６等へのログインが認められる。
【０２２０】
コンテンツ配信部３３６は，例えば，認証が得られたユーザに対して，配信可能なコンテンツのリストを閲覧させ，配信を所望する配信コンテンツを選択させる。さらに，コンテンツ配信部３３６は，ユーザの利用するコンテンツ処理装置１０に対し，ネットワーク５を介して，選択されたコンテンツを配信する。このとき，配信コンテンツには，後述のソースＩＤ付加部３３８によってソースＩＤが付加される。
【０２２１】
また，コンテンツ配信部３３６は，例えば，コンテンツデータベース３１８等に保存されている配信コンテンツに関する情報（コンテンツＩＤ，タイトル情報（曲名，アーティスト名，アルバム名，再生時間等））をも，配信コンテンツに関連付けて送信する。
【０２２２】
コンテンツ配信部３３６は，上記コンテンツの配信に応じて課金処理を行う。具体的には，コンテンツ配信部３３６は，配信を受けたユーザに対して配信コンテンツに応じた額の支払いを求める課金処理を行い，この課金処理によって生じた請求金額，決済方法，決済日などの課金情報は，例えば，課金情報データベース３１６に保存する。
【０２２３】
また，ソースＩＤ付加部３３８は，上記配信コンテンツに対して，配信要求元のコンテンツ処理装置１０から通知されたソースＩＤを付加する。具体的には，ソースＩＤ付加部３３８は，配信コンテンツを購入したユーザに対応するソースＩＤを含むライセンスを発行し，このソースＩＤを含むライセンスを配信コンテンツと関連付けてコンテンツ処理装置１０に送信する。この際，ソースＩＤ付加部３３８は，上記サービス登録時に予め通知されユーザ情報データベース３１２に登録されているソースＩＤを読み出して，配信コンテンツに付加してもよいし，或いは，配信要求とともにコンテンツ処理装置１０から通知されてきたソースＩＤを配信コンテンツに付加してもよい。
【０２２４】
また，ソースＩＤ付加部３３８は，配信コンテンツに対して，ソースＩＤと，当該ソースＩＤの有効期限情報などを付加してもよい。これによって，コンテンツ処理装置１０，２０は，配信コンテンツに付加されたソースＩＤの有効期限情報に基づき，当該配信コンテンツの再生期限を管理することができるようになる。
【０２２５】
＜７．コンテンツ共有方法＞
次に，図１２に基づいて，以上のような著作権管理システム１００を利用したコンテンツ処理方法の基本的なフローについて説明する。図１２は，本実施形態にかかるコンテンツ処理方法の基本的なフローを示すタイミングチャートである。
【０２２６】
図１２に示すように，まず，あるユーザが，自己の所有するコンテンツ処理装置（ＰＣ）１０−１および個人認証情報入力装置１２を用いて，コンテンツ処理装置１０−１が保有するソースＩＤリストＬに，当該ユーザに対応するソースＩＤを登録する（ステップＳ１０）。また，このユーザと同一または異なるユーザが，他のコンテンツ処理装置（ＰＣ）１０−２および個人認証情報入力装置１２を用いて，当該コンテンツ処理装置１０−２が保有するソースＩＤリストＬに，当該ユーザに対応するソースＩＤを登録する（ステップＳ２０）。なお，このソースＩＤ登録処理の詳細については後述する。
【０２２７】
以下では，かかる状態において，コンテンツ処理装置１０−１から提供された配信コンテンツまたは作成コンテンツを，コンテンツ処理装置１０−２が取得して，共有するケースについて説明する。
【０２２８】
最初に，ステップＳ１４〜Ｓ２６では，２つのコンテンツ処理装置１０−１，２間で，配信コンテンツを共有する場合について説明する。
【０２２９】
まず，コンテンツ処理装置１０−１は，ユーザ入力に基づき，コンテンツ配信サーバ３０に対して，コンテンツの配信要求を行う（ステップＳ１４）。このとき，コンテンツ処理装置１０−１は，例えば，コンテンツ処理装置１０−１のソースＩＤリストＬに登録されているソースＩＤを，コンテンツ配信サーバ３０に通知する。なお，コンテンツ処理装置１０−１が，ソースＩＤリストＬおよびソースＩＤ記憶部１１７に複数のソースＩＤを保有している場合には，コンテンツ処理装置１０−１は，ユーザによって選択された１つのソースＩＤを通知してもよい。また，このようなソースＩＤの通知処理は，コンテンツ配信サーバ３０に対しコンテンツ配信サービスのユーザ登録をするときに，予め行っておいてもよい。
【０２３０】
次いで，コンテンツ配信サーバ３０は，ユーザ認証処理，配信要求を受けたコンテンツの抽出処理および課金処理等を行った上で，コンテンツ処理装置１０−１から通知されたソースＩＤを，配信要求を受けたコンテンツに付加する（ステップＳ１６）。さらに，コンテンツ配信サーバ３０は，上記ソースＩＤが付加されたコンテンツを，コンテンツ処理装置１０−１に配信する（ステップＳ１８）。コンテンツ処理装置１０−１は，コンテンツ配信サーバ３０から配信されたコンテンツ（配信コンテンツ）を受信して，コンテンツデータベース１１６に保存する。
【０２３１】
次いで，コンテンツ処理装置１０−１は，ユーザの再生要求に応じて，上記配信コンテンツの再生制御処理を実行する（ステップＳ２０）。このとき，再生対象の配信コンテンツに付加されているソースＩＤは，上記コンテンツ処理装置１０−１のソースＩＤリストＬに登録されているので，コンテンツ処理装置１０−１は，再生対象の配信コンテンツを再生可能である。
【０２３２】
さらに，コンテンツ処理装置１０−１は，ソースＩＤが付加された配信コンテンツを，ネットワーク５，ローカルライン９または記録媒体７などを介して，コンテンツ処理装置１０−２に提供する（ステップＳ２２）。これに応じて，コンテンツ処理装置１０−２は，この配信コンテンツを取得して，コンテンツデータベース１１６に保存する（ステップＳ２４）。
【０２３３】
その後，コンテンツ処理装置１０−２は，ユーザの再生要求に応じて，上記配信コンテンツの再生制御処理を実行する（ステップＳ２６）。この場合，配信コンテンツに付加されているソースＩＤが，コンテンツ処理装置１０−２のソースＩＤリストＬに登録されている場合（例えば，双方のコンテンツ処理装置１０−１，２のユーザが同一である場合など）には，コンテンツ処理装置１０−２は，当該配信コンテンツを再生可能であり，一方，当該ソースＩＤが当該ソースＩＤリストＬに登録されていない場合には，コンテンツ処理装置１０−２は，当該配信コンテンツを再生不能である。
【０２３４】
次に，ステップＳ２８〜Ｓ３８では，リッピングコンテンツ等の作成コンテンツを共有する場合について説明する。
【０２３５】
まず，コンテンツ処理装置１０−１は，リッピング，セルフレコーディング等によりコンテンツを作成し（ステップＳ２８），かかる作成コンテンツに対して，ソースＩＤリストＬに登録されているソースＩＤを付加する（ステップＳ３０）。
【０２３６】
次いで，コンテンツ処理装置１０−１は，ユーザの再生要求に応じて，上記作成コンテンツの再生制御処理を実行する（ステップＳ３２）。このとき，再生対象の作成コンテンツに付加されているソースＩＤは，上記コンテンツ処理装置１０−１のソースＩＤリストＬに登録されているソースＩＤと同一であるので，コンテンツ処理装置１０−１は，再生対象の作成コンテンツを再生可能である。
【０２３７】
さらに，コンテンツ処理装置１０−１は，このソースＩＤが付加された作成コンテンツを，ネットワーク５，ローカルライン９または記録媒体７などを介して，コンテンツ処理装置１０−２に提供する（ステップＳ３４）。これに応じて，コンテンツ処理装置１０−２は，この作成コンテンツを取得して，コンテンツデータベース１１６に保存する（ステップＳ３６）。
【０２３８】
次いで，コンテンツ処理装置１０−２は，ユーザの再生要求に応じて，上記作成コンテンツの再生制御処理を実行する（ステップＳ３８）。この場合，作成コンテンツに付加されているソースＩＤが，コンテンツ処理装置１０−２のソースＩＤリストＬに登録されている場合には，コンテンツ処理装置１０−２は，当該作成コンテンツを再生可能であり，一方，当該ソースＩＤが当該ソースＩＤリストＬに登録されていない場合には，コンテンツ処理装置１０−２は，当該作成コンテンツを再生不能である。
【０２３９】
以上のような著作権管理システム１００におけるコンテンツ処理方法では，同一ユーザの所有する複数のコンテンツ処理装置１０−１，２において，個人認証情報入力装置１２を用いて，当該ユーザのソースＩＤをそれぞれのソースＩＤリストＬに登録しておけば，これらのコンテンツ処理装置１０−１，２間で，配信コンテンツおよび作成コンテンツを自由に共有（再生，コピー等）できる。一方，相異なるユーザが所有するコンテンツ処理装置１０−１，２間ででは，相手側ユーザのソースＩＤを自身のソースＩＤリストＬに登録できないので，配信コンテンツおよび作成コンテンツを交換して再生することはできない。
【０２４０】
＜８．ソースＩＤ登録処理＞
次に，図１３に基づいて，コンテンツ処理装置（ＰＣ）１０に対し，当該コンテンツ処理装置（ＰＣ）１０のユーザに対応するソースＩＤを登録する処理について詳細に説明する。なお，図１３は，本実施形態にかかるコンテンツ処理装置（ＰＣ）１０に対するソースＩＤ登録処理を示すフローチャートである。
【０２４１】
図１３に示すように，まず，ステップＳ１０２では，コンテンツ処理装置１０に外付け／内蔵された個人認証情報入力装置１２は，コンテンツ処理装置１０のユーザの個人認証情報（バイオメトリクス情報等）を取得する（ステップＳ１０２）。
【０２４２】
具体的には，例えば，図１０（ｂ）に示したように，まず，コンテンツ処理装置１０と個人認証情報入力装置１２とを，ローカルライン９を用いてローカル接続する。次いで，ユーザの指先を個人認証情報入力装置１２の一例である指紋認証装置１２Ｂに接触させる。すると，指紋認証装置１２Ｂは，ユーザを認識して，当該ユーザの指紋を読み取り，バイオメトリクス情報の一例である指紋情報を生成して，コンテンツ処理装置１０に出力する。なお，このとき，指紋認証装置１２Ｂは，過去に登録された指紋情報を用いて，ユーザの本人認証処理を行ってもよい。
【０２４３】
次いで，ステップＳ１０４では，コンテンツ処理装置１０は，個人認証情報入力装置１２から入力された個人認証情報に基づいて，この個人認証情報入力装置１２により認識されたユーザに対応するソースＩＤを生成する（ステップＳ１０４）。
【０２４４】
具体的には，コンテンツ処理装置（ＰＣ）１０のソースＩＤ生成部１３０は，例えば，個人認証情報入力装置１２から入力された個人認証情報（指紋情報等）をそのまま含むソースＩＤを生成する。
【０２４５】
さらに，ステップＳ１０６では，コンテンツ処理装置１０は，上記生成されたソースＩＤを，コンテンツ処理装置１０が保有するソースＩＤリストＬに登録するか否かを判断する（ステップＳ１０６）。
【０２４６】
具体的には，コンテンツ処理装置１０のリスト管理部１４０は，図５に示したような所定の登録条件に基づき，上記生成されたソースＩＤをソースＩＤリストＬにするか否かを判断する。例えば，図５（ａ）〜（ｃ）に示したように，一人のユーザに対応するソースＩＤのみをソースＩＤリストＬに登録可能であるという登録条件である場合を考える。この場合，リスト管理部１４０は，既に他のユーザのソースＩＤがソースＩＤリストＬに登録されているときには，新たなユーザのソースＩＤの登録を禁止し，一方，他のユーザのソースＩＤが登録されていないときには，新たなユーザのソースＩＤの登録を許可する。
【０２４７】
このようにして，ステップＳ１０６で，上記生成されたソースＩＤがソースＩＤリストＬに登録可能と判断された場合には，ステップＳ１０８に進み，当該ソースＩＤをソースＩＤリストＬに登録する（ステップＳ１０８）。この登録により，コンテンツ処理装置１０において，当該ソースＩＤが付加されたコンテンツを再生可能となる。
【０２４８】
一方，ステップＳ１０６で，上記生成されたソースＩＤがソースＩＤリストＬに登録不可と判断された場合には，ステップＳ１１０に進み，例えば，当該ソースＩＤをソースＩＤ記憶部１１６に保存する（ステップＳ１１０）。これにより，コンテンツ処理装置１０において，当該ソースＩＤが付加されたコンテンツを再生することはできないが，コンテンツの配信要求時などに，当該ソースＩＤをソースＩＤ記憶部１１６から読み出してコンテンツ配信サーバ３０に通知し，他人のコンテンツ処理装置１０で再生可能な配信コンテンツを取得（購入）できるようになる。
【０２４９】
次に，図１４に基づいて，コンテンツ処理装置（ＰＤ）２０に対し，当該コンテンツ処理装置（ＰＤ）２０のユーザに対応するソースＩＤを登録する処理について詳細に説明する。図１４は，本実施形態にかかるコンテンツ処理装置（ＰＤ）２０に対するソースＩＤ登録処理を示すフローチャートである。
【０２５０】
以下では，図１０（ｂ）に示したように，コンテンツ処理装置（ＰＤ）２０が個人認証情報入力装置１２を接続できない場合に，同一ユーザが所有するコンテンツ処理装置（ＰＣ）１０を用いて，コンテンツ処理装置（ＰＤ）２０にソースＩＤを登録する処理フローについて説明する。なお，図１０（ａ）に示したような個人認証情報入力装置１２を接続可能なコンテンツ処理装置（ＰＤ）２０の場合は，上記図１３で説明したコンテンツ処理装置（ＰＣ）１０の登録処理と同様にして，コンテンツ処理装置（ＰＤ）２０にソースＩＤを登録可能である。
【０２５１】
図１４に示すように，まず，ステップＳ２０２では，コンテンツ処理装置（ＰＣ）１０のソースＩＤリストＬに，当該コンテンツ処理装置（ＰＣ）１０のユーザに対応するソースＩＤを登録する（ステップＳ２０２）。この処理については上記図１３で説明したので，詳細説明は省略する。
【０２５２】
次いで，ステップＳ２０４では，図１０（ｂ）で示したように，コンテンツ処理装置（ＰＤ）２０とコンテンツ処理装置（ＰＣ）１０とを，ローカルライン９を用いてローカル接続する。（ステップＳ２０４）。
【０２５３】
さらに，ステップＳ２０６では，コンテンツ処理装置（ＰＣ）１０のリスト管理部１４０は，コンテンツ処理装置（ＰＣ）１０のソースＩＤリストＬに登録されているソースＩＤを，コンテンツ処理装置（ＰＤ）２０のソースＩＤリストＬに複製することの可否を判断する（ステップＳ２０６）。
【０２５４】
例えば，リスト管理部１４０は，コンテンツ処理装置（ＰＤ）２０のソースＩＤリストＬに，既に他のユーザのソースＩＤが登録されている場合には，複製不可と判断する。また，リスト管理部１４０は，予め設定された所定の複数条件（例えば，複製回数制限や複製有効期限など）が定められている場合には，この複製条件を満たすか否かに基づいて，ソースＩＤ複製の可否を判断する。例えば，ソースＩＤを３回まで複製可能といった複製回数制限が定められている場合，一人のユーザは，自身のソースＩＤを３台のコンテンツ処理装置（ＰＤ）２０にしか複製して登録できない。従って，このような複製回数制限により，個人といえども過度に多くの機器でコンテンツを共有しようとする行為を抑制できる。
【０２５５】
このようなステップＳ２０６での複製可否判断の結果，ソースＩＤを複製可能と判断された場合には，ステップＳ２０８に進み，コンテンツ処理装置（ＰＣ）１０のリスト管理部１４０によって，コンテンツ処理装置（ＰＣ）１０のソースＩＤリストＬに登録されているソースＩＤが複製されて（ステップＳ２０８），コンテンツ処理装置（ＰＤ）２０のソースＩＤリストＬに書き込まれる（ステップＳ２１０）。
【０２５６】
一方，ステップＳ２０６でソースＩＤを複製不可能と判断された場合には，ステップＳ２１２に進み，例えばコンテンツ処理装置（ＰＣ）１０のモニタ等に，複製できない旨を表すエラー通知が成される（ステップＳ２１２）。
【０２５７】
＜９．再生制御処理＞
次に，図１５に基づいて，本実施形態にかかるコンテンツ処理装置１０におけるコンテンツ再生制御処理について説明する。図１５は，本実施形態にかかるコンテンツ処理装置１０におけるコンテンツ再生制御処理を示すフローチャートである。
【０２５８】
図１５に示すように，まず，ステップＳ３０２では，例えばユーザによって再生要求が成される（ステップＳ３０２）。ユーザは，コンテンツ処理装置１０の入力装置１０８を操作して，コンテンツ処理装置１０のコンテンツデータベース１１６または記録媒体７等に保存されているコンテンツのうち，所望のコンテンツを選択し，選択したコンテンツを再生するようにコンテンツ再生部１７０に対して指示する。
【０２５９】
次いで，ステップＳ３０４では，再生対象のコンテンツに付加されているソースＩＤが読み出される（ステップＳ３０４）。具体的には，コンテンツ再生部１７０の再生可否判断部１７２は，まず，上記再生要求された再生対象のコンテンツを，コンテンツデータベース１１６または記録媒体７等から読み出し，次いで，この再生対象のコンテンツに付加されているソースＩＤを読み出す。
【０２６０】
さらに，ステップＳ３０６では，上記再生対象のコンテンツに付加されているソースＩＤが，コンテンツ処理装置１０のソースＩＤリストＬに登録されているか否かが判定される（ステップＳ３０６）。具体的には，再生可否判断部１７２は，上記再生対象のコンテンツに付加されているソースＩＤと，ソースＩＤリストＬに登録されている１又は２以上のソースＩＤとを照合し，上記再生対象のコンテンツに付加されているソースＩＤと，ソースＩＤリストＬに登録されているいずれかのソースＩＤと，が一致するか否かを判断する。
【０２６１】
この照合時には，上述したように，ソースＩＤが上記バイオメトリクス情報に基づいて生成されている場合には，上記再生対象のコンテンツに付加されているソースＩＤのデータと，ソースＩＤリストＬに登録されているソースＩＤのデータとが，所定の割合以上（例えば８０％）で一致していれば，同一のソースＩＤであると判断される。
【０２６２】
このような判断の結果，上記再生対象のコンテンツに付加されているソースＩＤが，ソースＩＤリストＬに登録されている場合には，ステップＳ３０８に進む。一方，当該ソースＩＤがソースＩＤリストＬに登録されていない場合には，当該再生対象のコンテンツの再生が禁止され，ステップＳ３１２に進み，再生権限を有さない旨のエラー通知がなされる（ステップＳ３１２）。
【０２６３】
さらに，ステップＳ３０８では，上記再生対象のコンテンツに付加されているソースＩＤが有効期限内であるか否かが判断される（ステップＳ３０８）。
【０２６４】
具体的には，まず，再生可否判断部１７２は，現在時刻を，コンテンツ処理装置１０に内蔵されている計時装置（図示せず。）から取得し，また，上記再生対象のコンテンツに付加されているソースＩＤに対応する有効期限情報を，ソースＩＤリストＬから読み出す。なお，ソースＩＤリストＬ内には，登録されたソースＩＤと，当該ソースＩＤに対応する有効期限情報とが関連付けられて記録されている。
【０２６５】
次いで，再生可否判断部１７２は，上記現在時刻が，上記ソースＩＤの有効期限を越えているか否かを判断する。この判断の結果，現在時刻が上記ソースＩＤの有効期限を越えている場合には，ソースＩＤが期限切れとなっている。このため，上記再生対象のコンテンツの再生が許可されず，ステップＳ３１２に進み，再生権限を有さない旨のエラー通知がなされる（ステップＳ３１２）。
【０２６６】
一方，現在時刻が上記ソースＩＤの有効期限内である場合には，再生可否判断部１７２は，上記再生対象のコンテンツの再生を許可し，ステップＳ３１０に進む。この結果，ステップＳ３１０では，再生実行部１７４によって，上記再生対象のコンテンツが再生される（ステップＳ３１０）。
【０２６７】
以上のように，本実施形態にかかるコンテンツ再生制御処理について説明した。なお，ソースＩＤの有効期限は必ずしも設定されなくてもよい。また，コンテンツ処理装置（ＰＤ）２０におけるコンテンツ再生制御処理も上記図１５と同様である。
【０２６８】
＜１０．効果＞
以上，本実施形態にかかる著作権管理システム１００およびこれを利用したコンテンツ処理方法について詳細に説明した。かかる著作権管理システム１００では，コンテンツの所有者（ユーザ）単位で固有のソースＩＤをコンテンツに付加するとともに，各コンテンツ処理装置１０，２０に，再生を許可するソースＩＤのリストであるソースＩＤリストＬを保有させる。これにより，コンテンツ処理装置１０，２０によるコンテンツの再生を，コンテンツの所有者単位で制限して，コンテンツの著作権管理を行う。
【０２６９】
このため，コンテンツの所有者（例えば，配信コンテンツを正当に購入したユーザ，コンテンツを正当にリッピングしたユーザ）のみが，自身の所有するコンテンツ処理装置１０，２０を用いて，当該コンテンツを再生することができる。従って，コンテンツの真の所有者でない者が他人から取得した全てのコンテンツを再生の再生を，一括して禁止することができる。従って，不特定多数のユーザに対するリッピングコンテンツの大量配布行為，配信コンテンツをインターネット上でダウンロード可能に公開する行為などといった違法行為を，効果的に防止できる。
【０２７０】
一方，コンテンツの正当な所有者は，一度，このコンテンツの所有者のソースＩＤを，自己の所有するコンテンツ処理装置１０，２０のソースＩＤリストＬに登録しておけば，その後は，当該コンテンツ処理装置１０，２０間で，自身の所有するコンテンツを自由にコピーして再生することができる。このようにコピー制限を設けないのは，コンテンツの所有者のみしかコンテンツを操作できないので，その分，コンテンツホルダーはコンテンツ利用上の制限を緩和できるからである。また，ユーザは，コンテンツのコピー元やコピー回数などを意識する必要がないので，著作権管理システムの存在を感じにくい。よって，従来のチェックイン・チェックアウト方式の著作権管理と比べて，ユーザによるコンテンツ利用の自由度および利便性を向上させ，ユーザフレンドリーな著作権管理を実行できる。
【０２７１】
よって，上記実施形態にかかる著作権管理システム１００は，（１）コンテンツ配信サービス等に対して正当な対価を支払わずに，コンテンツを不正利用する行為を制限する著作権利管理機能と，（２）正当な対価を支払った真のコンテンツ所有者が，私的使用の範囲内でコンテンツを利用するときの自由度および利便性を高めること，を両立させることができる。
【０２７２】
また，個人認証情報入力装置１２によって取得された個人認証情報を用いてソースＩＤを生成し，ソースＩＤリストＬに登録している。このため，コンテンツの所有者本人が物理的に個人認証情報入力装置１２に接近して認識されなければ，コンテンツ処理装置１０，２０にソースＩＤを登録できない。従って，ソースＩＤの偽造や，第三者がコンテンツの所有者になりすますといった不正行為を，的確に防止できる。特に，個人認証情報としてバイオメトリクス情報を用いた場合には，より正確に本人認証できるので，不正行為を確実に防止できる。
【０２７３】
さらに，端末である個々のコンテンツ処理装置１０，２０において，ソースＩＤを生成して管理するので，サーバを用いて複数のソースＩＤを集中管理する必要がない。よって，著作権管理システム１００内における著作権管理を，効率的かつ迅速に実行できる。
【０２７４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０２７５】
本発明は，コンテンツの著作権を保護する著作権管理システム，コンテンツ処理装置，コンテンツ処理方法およびプログラムに適用可能である。
【図面の簡単な説明】
【０２７６】
【図１】本発明の第１の実施の態にかかる著作権管理システムの全体構成を概略的に示すブロック図である。
【図２】同実施の態にかかる個人認証情報入力装置の一例であるバイオメトリクス認証装置の機能を概略的に示すブロック図である。
【図３】同実施の形態にかかるコンテンツ処理装置（ＰＣ）のハードウェア構成の例を概略的に示すブロック図である。
【図４】同実施の形態にかかるコンテンツ処理装置（ＰＣ）の機能を概略的に示すブロック図である。
【図５】同実施の形態にかかるソースＩＤの生成方式と，ソースＩＤリストＬに対するソースＩＤの登録方式の具体例を説明するための説明図である。
【図６】同実施の形態にかかるコンテンツファイルの構成を概略的に示す説明図である。
【図７】同実施の形態にかかるコンテンツ再生部の機能を概略的に示すブロック図である。
【図８】同実施の形態にかかるコンテンツ処理装置（ＰＤ）のハードウェア構成の例を概略的に示すブロック図である。
【図９】同実施の形態にかかるコンテンツ処理装置（ＰＤ）の機能を概略的に示すブロック図である。
【図１０】同実施の形態にかかるコンテンツ処理装置（ＰＤ）に対するソースＩＤの登録方式を説明するための説明図である。
【図１１】同実施の形態にかかるコンテンツ配信サーバの機能を概略的に示すブロック図である。
【図１２】同実施の形態にかかるコンテンツ処理方法の基本的なフローを示すタイミングチャートである。
【図１３】同実施の形態にかかるコンテンツ処理装置（ＰＣ）に対するソースＩＤ登録処理を示すフローチャートである。
【図１４】同実施の形態にかかるコンテンツ処理装置（ＰＤ）に対するソースＩＤ登録処理を示すフローチャートである。
【図１５】同実施の形態にかかるコンテンツ処理装置におけるコンテンツ再生制御処理を示すフローチャートである。
【符号の説明】
【０２７７】
５      ネットワーク
７      リムーバブル記録媒体
９      ローカルライン
１２    個人認証情報入力装置
１２Ｂ  バイオメトリクス認証装置
１２Ｃ  指紋認証装置
１０    コンテンツ処理装置（ＰＣ）
２０    コンテンツ処理装置（ＰＤ）
３０    コンテンツ配信サーバ
１００  著作権管理システム
１１６  コンテンツデータベース
１１７  ソースＩＤ記憶部
１３０  ソースＩＤ生成部
１４０  リスト管理部
１５０  ソースＩＤ通知部
１５２  配信サービス利用部
１５４  ソースＩＤ付加部
１６０  コンテンツ処理部
１７０  コンテンツ再生部
１７２  再生可否判断部
１７２  再生実行部
２７２  再生可否判断部
Ｌ      ソースＩＤリスト
【図１】
2006195748.tif 000003
【図２】
2006195748.tif 000004
【図３】
2006195748.tif 000005
【図４】
2006195748.tif 000006
【図５】
2006195748.tif 000007
【図６】
2006195748.tif 000008
【図７】
2006195748.tif 000009
【図８】
2006195748.tif 000010
【図９】
2006195748.tif 000011
【図１０】
2006195748.tif 000012
【図１１】
2006195748.tif 000013
【図１２】
2006195748.tif 000014
【図１３】
2006195748.tif 000015
【図１４】
2006195748.tif 000016
【図１５】
2006195748.tif 000017